(57)【要約】冷凍装置の保安性を向上させる。空調システム（１００）は、利用側回路（ＲＣ２）、熱源側回路（ＲＣ１）及び冷媒放出回路（ＲＣ３）を含む冷媒回路（ＲＣ）と、利用側回路（ＲＣ２）の冷媒漏洩を検知する冷媒漏洩検知部（冷媒漏洩センサ（５０）及び冷媒漏洩判定部（７４））と、開状態となることで熱源側回路（ＲＣ１）と冷媒放出回路（ＲＣ３）とを連通させる熱源側第４制御弁（２２）と、冷媒放出回路（ＲＣ３）に配置され第１状態（開放状態）になることで冷媒放出回路（ＲＣ３）と外部空間とを連通させ冷媒を放出させる冷媒放出機構（２１）と、コントローラ（７０）とを備える。コントローラ（７０）は、利用側回路（ＲＣ２）の冷媒漏洩が検知されない場合には熱源側第４制御弁（２２）を閉状態に制御し、冷媒漏洩検知部によって利用側回路（ＲＣ２）の冷媒漏洩が検知された場合には熱源側第４制御弁（２２）を開状態に切り換え、冷媒放出機構（２１）を第１状態に移行させる。冷媒放出機構（２１）は、冷媒放出回路（ＲＣ３）内の圧力が第１閾値（ΔＴｈ１）以上となった場合に第１状態となる破裂板である。
2019027050.tif 000002
【特許請求の範囲】
【請求項１】
利用側回路（ＲＣ２）と、前記利用側回路と接続される熱源側回路（ＲＣ１）と、前記熱源側回路と接続される冷媒放出回路（ＲＣ３）と、を含む冷媒回路（ＲＣ）と、
前記利用側回路における冷媒漏洩を検知する冷媒漏洩検知部（５０、７４）と、
前記冷媒放出回路又は前記熱源側回路に配置され、開状態となることで前記熱源側回路と前記冷媒放出回路とを連通させる制御弁（２２）と、
前記冷媒放出回路に配置され、第１状態になることで前記冷媒放出回路と前記冷媒回路外の外部空間とを連通させ前記冷媒放出回路から前記外部空間へ冷媒を放出させる冷媒放出機構（２１）と、
機器（１１、１３、１７、２１、２２、２３、４１・・・）の状態を制御する制御部（７０）と、
を備え、
前記制御部は、
前記冷媒漏洩検知部によって前記利用側回路における冷媒漏洩が検知されていない場合には、前記制御弁を閉状態に制御し、
前記冷媒漏洩検知部によって前記利用側回路における冷媒漏洩が検知された場合には、前記制御弁を閉状態から開状態に切り換え、前記冷媒放出機構を直接的又は間接的に前記第１状態に移行させ、
前記冷媒放出機構は、前記冷媒放出回路内の圧力が第１閾値以上となった場合に前記第１状態となる破裂板である、
冷凍装置（１００）。
【請求項２】
前記冷媒放出回路は、一端が前記熱源側回路に接続される第１流路（ＲＰ１）と、前記第１流路とは別に前記熱源側回路に接続される第２流路（ＲＰ２）とをさらに含み、
前記制御弁は、開状態となることで前記熱源側回路から前記第１流路への冷媒の流れを許容し、
前記第２流路上に配置され、開状態となることで前記第２流路から前記熱源側回路への冷媒の流れを許容する第２制御弁（２３）と、
前記第２流路上において前記第２制御弁と前記熱源側回路との間に配置され、前記冷媒放出回路内の圧力が第３閾値以上となった時に前記冷媒放出回路内の圧力を前記熱源側回路へと逃がす圧力調整弁（２４）と、
をさらに備える、
請求項１に記載の冷凍装置（１００）。
【請求項３】
前記制御部は、前記冷媒漏洩検知部によって前記利用側回路における冷媒漏洩が検知されていない場合には前記第２制御弁を開状態に制御し、前記冷媒漏洩検知部によって前記利用側回路における冷媒漏洩が検知された場合には前記第２制御弁を開状態から前記閉状態に切り換える、
請求項２に記載の冷凍装置（１００）。
【請求項４】
前記利用側回路に配置され、開度に応じて冷媒を減圧する減圧弁（４１）をさらに備え、
前記制御部は、前記冷媒漏洩検知部によって前記利用側回路における冷媒漏洩が検出された場合には前記減圧弁を閉状態に制御する、
請求項１から３のいずれか１項に記載の冷凍装置（１００）。
【請求項５】
前記熱源側回路に配置され、冷媒を圧縮する圧縮機（１１）と、
前記熱源側回路及び前記利用側回路間における冷媒の流れを切り換える流路切換弁（１３）と、
前記熱源側回路に配置され冷媒の熱交換器として機能する熱源側熱交換器（１４）と、
前記利用側回路に配置され冷媒の熱交換器として機能する利用側熱交換器（４２）と、
閉状態に切り換えられることで、前記熱源側回路及び前記利用側回路間における高圧冷媒の流れを遮る第１弁（１７）と、
をさらに備え、
前記制御部は、
正サイクル運転時には前記流路切換弁を正サイクル状態に制御することで前記熱源側熱交換器を冷媒の凝縮器又は放熱器として機能させるとともに前記利用側熱交換器を冷媒の蒸発器として機能させ、
逆サイクル運転時には前記流路切換弁を逆サイクル状態に制御することで前記熱源側熱交換器を冷媒の蒸発器として機能させるとともに前記利用側熱交換器を冷媒の凝縮器又は放熱器として機能させ、
前記冷媒漏洩検知部によって前記利用側回路における冷媒漏洩が検出された時には、前記流路切換弁を前記正サイクル状態に制御するとともに前記第１弁を閉状態に制御し、前記圧縮機を運転させる、
請求項１から４のいずれか１項に記載の冷凍装置（１００）。
【発明の詳細な説明】
【技術分野】
【０００１】
本開示は、冷凍装置に関する。
【背景技術】
【０００２】
冷凍装置では、冷媒回路を構成する機器の損傷若しくは設置不良等に起因して冷媒回路から冷媒が漏洩する可能性があるため、冷媒漏洩が生じた際における保安性確保のための対策が必要となる。例えばＲ３２のような微燃性冷媒（燃焼性は大きくないが、濃度が所定値（燃焼下限濃度）以上となることで燃焼する特性を有する冷媒）が用いられる場合には、係る対策が特に必要である。【０００３】
従来、冷媒漏洩に係る対策としては、例えば、特許文献１（特開平５−１１８７２０号公報）に開示されるように、冷媒漏洩検知時に、冷媒回路内において所定の制御弁（電磁弁又は電子膨張弁等、開度制御が可能な弁）を閉状態に制御することで、利用側回路への冷媒の流れを妨げ、利用側回路が設置される利用側空間（人が出入りする居住空間や庫内空間等）への更なる冷媒漏洩を抑制する方法が提案されている。
【発明の概要】
【発明が解決しようとする課題】
【０００４】
ここで、電磁弁や電子膨張弁等の制御弁は、その構造上、閉状態に制御されたとしても、冷媒の流れを完全に遮断することはできない（すなわち一端側から他端側への冷媒の漏れを避けられない）という特性を有する。すなわち、制御弁では、閉状態に制御された場合にも、微小な冷媒流路（微小流路）が形成されることとなり、微量の冷媒を通過させる。【０００５】
このため、特許文献１に開示されるように、冷媒漏洩時に制御弁を閉状態に制御したとしても、制御弁を通過する微量の冷媒が利用ユニット側へ流れることとなり、利用側空間において漏洩冷媒が滞留することが懸念される。この点、冷凍装置では、利用側空間が気密性の高い空間である場合や長期間使用されずに放置される場合も想定され、係る場合において利用ユニットにおける冷媒漏洩が生じた際に特許文献１の方法を用いると、利用側空間において漏洩冷媒の濃度が高まることが特に懸念される。すなわち、特許文献１によると、冷媒漏洩に対する保安性を確実に確保することができないケースが想定される。【０００６】
そこで、本開示の課題は、冷凍装置の保安性を向上させることである。
【課題を解決するための手段】
【０００７】
本開示の第１観点に係る冷凍装置は、冷媒回路と、冷媒漏洩検知部と、制御弁と、冷媒放出機構と、制御部と、を備える。冷媒回路は、利用側回路と、熱源側回路と、冷媒放出回路と、を含む。熱源側回路は、利用側回路と接続される。冷媒放出回路は、熱源側回路と接続される。冷媒漏洩検知部は、利用側回路における冷媒漏洩を検知する。制御弁は、冷媒放出回路又は熱源側回路に配置される。制御弁は、開状態となることで、熱源側回路と冷媒放出回路とを連通させる。冷媒放出機構は、冷媒放出回路に配置される。冷媒放出機構は、第１状態になることで冷媒放出回路と冷媒回路外の外部空間とを連通させ、冷媒放出回路から外部空間へ冷媒を放出させる。制御部は、機器の状態を制御する。制御部は、冷媒漏洩検知部によって利用側回路における冷媒漏洩が検知されていない場合には、制御弁を閉状態に制御する。制御部は、冷媒漏洩検知部によって利用側回路における冷媒漏洩が検知された場合には、制御弁を閉状態から開状態に切り換え、冷媒放出機構を直接的又は間接的に第１状態に移行させる。冷媒放出機構は、破裂板である。破裂板は、冷媒放出回路内の圧力が第１閾値以上となった場合に第１状態となる。なお、ここでの「第１閾値」は破裂板が破裂する設定圧力であり、「第１状態」は冷媒放出回路内の圧力が第１閾値以上となったことに応じて破裂板が破裂した状態である。【０００８】
本開示の第１観点に係る冷凍装置では、制御部は、冷媒漏洩検知部によって利用側回路における冷媒漏洩が検知された場合には制御弁を閉状態から開状態に切り換えるとともに冷媒放出機構を第１状態に移行させる。これにより、利用側回路において冷媒漏洩が生じた場合に、制御弁が開けられることで冷媒が熱源側回路から冷媒放出回路（冷媒放出機構）へ流れ、冷媒放出機構が第１状態に移行させられることで冷媒放出機構を介して外部空間へ冷媒が放出される。その結果、熱源側回路から利用側回路への冷媒の流れが抑制され、利用側回路における更なる冷媒漏洩が抑制される。よって、利用側回路からの漏洩冷媒量が危険性のある値（例えば燃焼下限濃度や酸欠を招く値等）に到達することが抑制される。したがって、冷媒漏洩に関し保安性が向上する。【０００９】
また、冷媒放出機構が冷媒放出回路内の圧力が第１閾値以上となった場合に第１状態となる破裂板であることにより、利用側回路において冷媒漏洩が生じた場合に、簡易且つ高精度に外部空間へ冷媒が放出される。よって、保安性を簡易且つ精度よく向上しうる。【００１０】
なお、ここでの「冷媒」は、特に限定されないが、例えばＲ３２のような微燃性の冷媒が想定される。【００１１】
また、「冷媒放出機構を直接的又は間接的に第１状態に移行させる」には、「制御部」が「冷媒放出機構」を直接的に制御することで第１状態に移行させる思想のみならず、「制御部」が他の機器（例えば制御弁等）を制御することに関連して「冷媒放出機構」を第１状態に移行させる思想（すなわち「冷媒放出機構」を間接的に第１状態に制御する思想）も含まれる。【００１２】
また、ここでの「制御弁」は、開状態と閉状態とを切換可能な弁であれば特に限定されないが、例えば電子膨張弁や電磁弁である。【００１３】
また、ここでの「冷媒漏洩検出部」は、冷媒回路から漏洩した冷媒（漏洩冷媒）を直接的に検出する冷媒漏洩センサや、冷媒回路内の冷媒の状態（圧力又は温度）を検出する圧力センサ又は温度センサ、及び／又はそれらの検出値に基づき冷媒漏洩の有無を判定するコンピュータである。【００１４】
また、本明細書において、「閉状態」とは弁がとりうる最小の開度（全閉を含む）にある状態（冷媒の流れを最も妨げる状態）であり、「開状態」とは最小開度よりも大きい開度である。【００１５】
本開示の第２観点に係る冷凍装置は、第１観点に係る冷凍装置であって、第２制御弁と、圧力調整弁と、をさらに備える。冷媒放出回路は、第１流路と、第２流路と、を含む。第１流路は、一端が熱源側回路に接続される。第２流路は、第１流路とは別に熱源側回路に接続される。制御弁は、開状態となることで、熱源側回路から第１流路への冷媒の流れを許容する。第２制御弁は、第２流路上に配置される。第２制御弁は、開状態となることで、第２流路から熱源側回路への冷媒の流れを許容する。圧力調整弁は、第２流路上において、第２制御弁と熱源側回路との間に配置される。圧力調整弁は、冷媒放出回路内の圧力が第３閾値以上となった時に、冷媒放出回路内の圧力を熱源側回路へと逃がす。これにより、利用側回路において冷媒漏洩が生じていない場合において、冷媒放出回路内の圧力が高まったときに、圧力調整弁を介して冷媒放出回路から熱源側回路へ冷媒が送られ、圧力を下げることが可能となる。【００１６】
なお、ここでの「第２制御弁」は、開状態と閉状態とを切換可能な弁であれば特に限定されないが、例えば電子膨張弁や電磁弁である。【００１７】
また、ここでの「圧力調整弁」は、冷媒放出回路内の圧力が第３閾値以上となった時に冷媒放出回路内の圧力を熱源側回路へと逃がすことが可能な弁であれば、その型式や種類については特に限定されない。【００１８】
本開示の第３観点に係る冷凍装置は、第２観点に係る冷凍装置であって、制御部は、冷媒漏洩検知部によって利用側回路における冷媒漏洩が検知されていない場合には、第２制御弁を開状態に制御する。制御部は、冷媒漏洩検知部によって利用側回路における冷媒漏洩が検知された場合には、第２制御弁を開状態から閉状態に切り換える。これにより、利用側回路において冷媒漏洩が生じていない場合において、冷媒放出回路内の圧力が高まったときに、圧力調整弁を介して冷媒放出回路から熱源側回路へ冷媒が送られる。よって、冷媒放出回路における液封や冷媒放出機構の誤動作に関して、信頼性が向上する。【００１９】
本開示の第４観点に係る冷凍装置は、第１観点から第３観点のいずれかに係る冷凍装置であって、減圧弁をさらに備える。減圧弁は、利用側回路に配置される。減圧弁は、開度に応じて冷媒を減圧する。制御部は、冷媒漏洩検知部によって利用側回路における冷媒漏洩が検出された場合には、減圧弁を閉状態に制御する。これにより、利用側回路において冷媒漏洩が生じた場合に、係る利用側回路への冷媒の流れが抑制され、更なる冷媒漏洩が抑制される。よって、保安性がさらに向上する。【００２０】
なお、ここでの「減圧弁」は、開度制御が可能な弁であれば特に限定されないが、例えば電子膨張弁である。【００２１】
本開示の第５観点に係る冷凍装置は、第１観点から第４観点のいずれかに係る冷凍装置であって、圧縮機と、流路切換弁と、熱源側熱交換器と、利用側熱交換器と、第１弁と、をさらに備える。圧縮機は、熱源側回路に配置される。圧縮機は、冷媒を圧縮する。流路切換弁は、熱源側回路及び利用側回路間における冷媒の流れを切り換える。熱源側熱交換器は、熱源側回路に配置される。熱源側熱交換器は、冷媒の熱交換器として機能する。利用側熱交換器は、利用側回路に配置される。利用側熱交換器は、冷媒の熱交換器として機能する。第１弁は、閉状態に切り換えられることで、熱源側回路及び利用側回路間における高圧冷媒の流れを遮る。制御部は、正サイクル運転時には流路切換弁を正サイクル状態に制御することで、熱源側熱交換器を冷媒の凝縮器又は放熱器として機能させるとともに、利用側熱交換器を冷媒の蒸発器として機能させる。制御部は、逆サイクル運転時には流路切換弁を逆サイクル状態に制御することで、熱源側熱交換器を冷媒の蒸発器として機能させるとともに、利用側熱交換器を冷媒の凝縮器又は放熱器として機能させる。制御部は、冷媒漏洩検知部によって利用側回路における冷媒漏洩が検出された時には、流路切換弁を正サイクル状態に制御するとともに第１弁を閉状態に制御し、圧縮機を運転させる。【００２２】
本開示の第５観点に係る冷凍装置では、利用側回路において冷媒漏洩が生じた場合に、第１弁が閉められた状態で正サイクル運転が行われることで、熱源側回路から利用側回路への冷媒の流れがさらに抑制されるとともに、利用側回路から熱源側回路への冷媒の回収が促進される。よって、保安性がさらに向上する。【００２３】
なお、ここでの「第１弁」は、開状態と閉状態とを切換可能な弁であれば特に限定されないが、例えば電子膨張弁や電磁弁である。
【図面の簡単な説明】
【００２４】
【図１】本開示の一実施形態に係る空調システムの概略構成図。
【図２】コントローラと、コントローラに接続される各部と、を概略的に示したブロック図。
【図３】コントローラの処理の流れの一例を示したフローチャート。
【図４】変形例１に係る空調システムの概略構成図。
【図５】変形例２に係る空調システムの概略構成図。
【図６】変形例３に係る空調システムの概略構成図。
【発明を実施するための形態】
【００２５】
以下、図面を参照しながら、本開示の一実施形態に係る空調システム１００（冷凍装置）について説明する。なお、以下の実施形態は、具体例であって、技術的範囲を限定するものではなく、要旨を逸脱しない範囲で適宜変更が可能である。
【００２６】
なお、以下の説明において、「液冷媒」には、飽和液状態の液冷媒のみならず、気液二相状態の気液二相冷媒も含まれる。また、「閉状態」とは弁がとりうる最小の開度（全閉を含む）であり、「開状態」とは最小の開度よりも大きい開度である。
【００２７】
（１）空調システム１００
図１は、一実施形態に係る空調システム１００の概略構成図である。空調システム１００は、蒸気圧縮式の冷凍サイクルによって、対象空間（居住空間、貯蔵庫内、低温倉庫内、又は輸送コンテナ内等の空間）の冷却又は加熱等の空調を行うシステムである。空調システム１００は、主として、熱源ユニット１０と、複数の利用ユニット４０（４０ａ、４０ｂ、・・・）と、液側連絡配管Ｌ１及びガス側連絡配管Ｇ１と、複数の冷媒漏洩センサ５０（５０ａ、５０ｂ、・・・）と、複数のリモコン６０（６０ａ、６０ｂ、・・・）と、空調システム１００の動作を制御するコントローラ７０と、を有している。
【００２８】
空調システム１００では、熱源ユニット１０と利用ユニット４０とが、液側連絡配管Ｌ１及びガス側連絡配管Ｇ１を介して接続されることで、冷媒回路ＲＣが構成されている。空調システム１００では、冷媒回路ＲＣ内において、冷媒が、圧縮され、冷却又は凝縮され、減圧され、加熱又は蒸発された後に、再び圧縮される、という冷凍サイクルが行われる。本実施形態では、冷媒回路ＲＣには、蒸気圧縮式の冷凍サイクルを行うための冷媒として微燃性のＲ３２が充填されている。冷媒回路ＲＣは、熱源側回路ＲＣ１と、利用側回路ＲＣ２と、冷媒放出回路ＲＣ３と、を含んでいる。
【００２９】
（１−１）熱源ユニット１０
熱源ユニット１０は、室外に配置されている。熱源ユニット１０は、液側連絡配管Ｌ１及びガス側連絡配管Ｇ１を介して複数の利用ユニット４０と接続されており、冷媒回路ＲＣの一部（熱源側回路ＲＣ１及び冷媒放出回路ＲＣ３）を構成している。
【００３０】
熱源ユニット１０は、熱源側回路ＲＣ１を構成する機器として、主として、複数の冷媒配管（第１配管Ｐ１−第１１配管Ｐ１１）と、圧縮機１１と、アキュームレータ１２と、四路切換弁１３と、熱源側熱交換器１４と、過冷却器１５と、熱源側第１制御弁１６と、熱源側第２制御弁１７と、熱源側第３制御弁１８と、液側閉鎖弁１９と、ガス側閉鎖弁２０と、を有している。
【００３１】
第１配管Ｐ１は、ガス側閉鎖弁２０と、四路切換弁１３の第１ポートと、を接続する。第２配管Ｐ２は、アキュームレータ１２の入口ポートと、四路切換弁１３の第２ポートと、を接続する。第３配管Ｐ３は、アキュームレータ１２の出口ポートと、圧縮機１１の吸入ポートと、を接続する。第４配管Ｐ４は、圧縮機１１の吐出ポートと、四路切換弁１３の第３ポートと、を接続する。第５配管Ｐ５は、四路切換弁１３の第４ポートと、熱源側熱交換器１４のガス側出入口と、を接続する。第６配管Ｐ６は、熱源側熱交換器１４の液側出入口と、熱源側第１制御弁１６の一端と、を接続する。第７配管Ｐ７は、熱源側第１制御弁１６の他端と、過冷却器１５のメイン流路１５１の一端と、を接続する。第８配管Ｐ８は、過冷却器１５のメイン流路１５１の他端と、液側閉鎖弁１９の一端と、を接続する。第９配管Ｐ９は、第６配管Ｐ６の両端間の部分と、熱源側第３制御弁１８の一端と、を接続する。第１０配管Ｐ１０は、熱源側第３制御弁１８の他端と、過冷却器１５のサブ流路１５２の一端と、を接続する。第１１配管Ｐ１１は、過冷却器１５のサブ流路１５２の他端と、第２配管Ｐ２の両端間の部分と、を接続する。なお、これらの冷媒配管（Ｐ１―Ｐ１１）は、実際には、単一の配管で構成されてもよいし、継手等を介して複数の配管が接続されることで構成されてもよい。
【００３２】
圧縮機１１は、冷凍サイクルにおける低圧の冷媒を高圧になるまで圧縮する機器である。本実施形態では、圧縮機１１は、ロータリ式やスクロール式等の容積式の圧縮要素が圧縮機モータ（図示省略）によって回転駆動される密閉式構造を有している。また、ここでは、圧縮機モータは、インバータにより運転周波数の制御が可能であり、これにより、圧縮機１１の容量制御が可能になっている。
【００３３】
アキュームレータ１２は、圧縮機１１に液冷媒が過度に吸入されることを抑制するための容器である。アキュームレータ１２は、冷媒回路ＲＣに充填されている冷媒量に応じて所定の容積を有している。
【００３４】
四路切換弁１３は、冷媒回路ＲＣにおける冷媒の流れを切り換えるための流路切換弁である。四路切換弁１３は、正サイクル状態と逆サイクル状態とを切り換えられる。四路切換弁１３は、正サイクル状態となると、第１ポート（第１配管Ｐ１）と第２ポート（第２配管Ｐ２）とを連通させるとともに第３ポート（第４配管Ｐ４）と第４ポート（第５配管Ｐ５）とを連通させる（図１の四路切換弁１３の実線を参照）。四路切換弁１３は、逆サイクル状態となると、第１ポート（第１配管Ｐ１）と第３ポート（第４配管Ｐ４）とを連通させるとともに第２ポート（第２配管Ｐ２）と第４ポート（第５配管Ｐ５）とを連通させる（図１の四路切換弁１３の破線を参照）。
【００３５】
熱源側熱交換器１４は、冷媒の凝縮器（又は放熱器）又は蒸発器として機能する熱交換器である。熱源側熱交換器１４は、正サイクル運転（四路切換弁１３が正サイクル状態にある運転）時には、冷媒の凝縮器として機能する。また、熱源側熱交換器１４は、逆サイクル運転（四路切換弁１３が逆サイクル状態にある運転）時には、冷媒の蒸発器として機能する。熱源側熱交換器１４は、複数の伝熱管と、伝熱フィンと、を含む（図示省略）。熱源側熱交換器１４は、伝熱管内の冷媒と、伝熱管又は伝熱フィンの周囲を通過する空気（後述の熱源側空気流）と、の間で熱交換が行われるように構成されている。
【００３６】
過冷却器１５は、流入する冷媒を過冷却状態の液冷媒とする熱交換器である。過冷却器１５は、例えば二重管熱交換器であり、過冷却器１５にはメイン流路１５１とサブ流路１５２とが構成されている。過冷却器１５は、メイン流路１５１及びサブ流路１５２を流れる冷媒が熱交換を行うように構成されている。
【００３７】
熱源側第１制御弁１６は、開度制御が可能な電子膨張弁であり、開度に応じて流入する冷媒を減圧する又は流量調節する。熱源側第１制御弁１６は、開状態と閉状態とを切換可能である。熱源側第１制御弁１６は、熱源側熱交換器１４と過冷却器１５（メイン流路１５１）との間に配置されている。
【００３８】
熱源側第２制御弁１７（特許請求の範囲記載の「第１弁」に相当）は、開度制御が可能な電子膨張弁であり、開度に応じて流入する冷媒を減圧する又は流量調節する。熱源側第２制御弁１７は、開状態と閉状態とを切換可能である。熱源側第２制御弁１７は、第８配管Ｐ８上において過冷却器１５（メイン流路１５１）と液側閉鎖弁１９との間に配置されている。熱源側第２制御弁１７は、閉状態に制御されることで、熱源側回路ＲＣ１及び各利用側回路ＲＣ２間における冷媒の流れを遮る。なお、係る熱源側第２制御弁１７の開度が制御されることにより、熱源ユニット１０から液側連絡配管Ｌ１へ送られる冷媒を気液二相状態とすることが可能である。これに関連して、冷媒回路ＲＣにおける充填冷媒量を低減させることが可能である。
【００３９】
熱源側第３制御弁１８は、開度制御が可能な電子膨張弁であり、開度に応じて流入する冷媒を減圧する又は流量調節する。熱源側第３制御弁１８は、開状態と閉状態とを切換可能である。熱源側第３制御弁１８は、熱源側熱交換器１４と過冷却器１５（サブ流路１５２）との間に配置されている。
【００４０】
液側閉鎖弁１９は、第８配管Ｐ８と液側連絡配管Ｌ１との接続部分に配置された手動弁である。液側閉鎖弁１９は、一端が第８配管Ｐ８に接続され他端が液側連絡配管Ｌ１に接続されている。
【００４１】
ガス側閉鎖弁２０は、第１配管Ｐ１とガス側連絡配管Ｇ１との接続部分に配置された手動弁である。ガス側閉鎖弁２０は、一端が第１配管Ｐ１に接続され他端がガス側連絡配管Ｇ１に接続されている。
【００４２】
また、熱源ユニット１０は、冷媒放出回路ＲＣ３を構成する機器として、主として、複数の冷媒配管（第１２配管Ｐ１２−第１６配管Ｐ１６）と、冷媒放出機構２１と、熱源側第４制御弁２２と、熱源側第５制御弁２３と、圧力調整弁２４と、を有している。
【００４３】
第１２配管Ｐ１２は、第６配管Ｐ６の両端間の部分と、熱源側第４制御弁２２の一端と、を接続する。第１３配管Ｐ１３は、熱源側第４制御弁２２の他端と、冷媒放出機構２１と、を接続する。第１４配管Ｐ１４は、第１３配管Ｐ１３の両端間の部分と、熱源側第５制御弁２３の一端と、を接続する。第１５配管Ｐ１５は、熱源側第５制御弁２３の他端と、圧力調整弁２４の一端と、を接続する。第１６配管Ｐ１６は、圧力調整弁２４の他端と、第１１配管Ｐ１１の両端間の部分と、を接続する。なお、これらの冷媒配管（Ｐ１２―Ｐ１６）は、実際には、単一の配管で構成されてもよいし、継手等を介して複数の配管が接続されることで構成されてもよい。
【００４４】
冷媒放出機構２１は、開放状態（特許請求の範囲記載の「第１状態」に相当）となることで冷媒放出回路ＲＣ３を外部空間と連通させ、冷媒放出回路ＲＣ３内の冷媒を外部空間へ放出させる。冷媒放出機構２１は、冷媒放出回路ＲＣ３において、熱源側回路ＲＣ１側の端部と反対側の端部に配置されている（より詳細には後述の第１流路ＲＰ１上に配置されている）。本実施形態において、冷媒放出機構２１は、入口側ポートから流入する冷媒の圧力が第１閾値ΔＴｈ１以上となることで破裂開口する（すなわち冷媒放出回路ＲＣ３内の冷媒の圧力が第１閾値ΔＴｈ１以上となることで開放状態となる）破裂板である。破裂板としては、公知のものが採用され、例えば材料の引張り強さの限界又は座屈強さの限界で座屈反転して破裂開口するものが用いられる。冷媒放出機構２１は、第１３配管Ｐ１３に、所定の接続方法（例えばフランジ接続又はロウ付け接続等）により接続されている。なお、第１閾値ΔＴｈ１については、設計仕様や設置環境に応じて適宜調整が可能である。本実施形態において、第１閾値ΔＴｈ１は、圧縮機１１の吐出圧力よりも小さい値に設定され、例えば３．８Ｍｐａに設定される（ただし、必ずしも係る値には限定されない）。
【００４５】
熱源側第４制御弁２２（特許請求の範囲記載の「制御弁」に相当）は、開度制御が可能な電子膨張弁であり、開度に応じて流入する冷媒を減圧する又は流量調節する。熱源側第４制御弁２２は、開状態と閉状態とを切換可能である。熱源側第４制御弁２２は、冷媒放出回路ＲＣ３において、冷媒放出機構２１と熱源側回路ＲＣ１との間に配置されている（より詳細には後述の第１流路ＲＰ１上に配置されている）。熱源側第４制御弁２２は、開状態にある場合には、熱源側回路ＲＣ１と冷媒放出回路ＲＣ３（後述の第１流路ＲＰ１）とを連通させ、熱源側回路ＲＣ１から冷媒放出回路ＲＣ３（後述の第１流路ＲＰ１）への冷媒の流れを許容する。熱源側第４制御弁２２は、閉状態にある場合には、熱源側回路ＲＣ１から冷媒放出回路ＲＣ３（後述の第１流路ＲＰ１）への冷媒の流れを遮断する。
【００４６】
熱源側第５制御弁２３（特許請求の範囲記載の「第２制御弁」に相当）は、開度制御が可能な電子膨張弁であり、開度に応じて流入する冷媒を減圧する又は流量調節する。熱源側第５制御弁２３は、開状態と閉状態とを切換可能である。熱源側第５制御弁２３は、冷媒放出回路ＲＣ３において、冷媒放出機構２１と圧力調整弁２４との間に配置されている（より詳細には後述の第２流路ＲＰ２上に配置されている）。熱源側第５制御弁２３は、開状態にある場合には、熱源側回路ＲＣ１と冷媒放出回路ＲＣ３（後述の第２流路ＲＰ２）とを連通させ、冷媒放出回路ＲＣ３（後述の第２流路ＲＰ２）から熱源側回路ＲＣ１への冷媒の流れを許容する。熱源側第５制御弁２３は、閉状態にある場合には、冷媒放出回路ＲＣ３（後述の第２流路ＲＰ２）から熱源側回路ＲＣ１への冷媒の流れを遮断する。
【００４７】
圧力調整弁２４は、冷媒放出回路ＲＣ３において、熱源側第５制御弁２３と熱源側回路ＲＣ１との間に配置されている（より詳細には後述の第２流路ＲＰ２上に配置されている）。圧力調整弁２４は、通常時には一端側から他端側への冷媒の流れを遮断し、一端側の冷媒の圧力が設定値（設置環境や設計仕様に応じて決定される、第１閾値ΔＴｈ１よりも小さい第３閾値ΔＴｈ３）以上に上昇したときに他端側への冷媒の流れを許容することで、一端側に連通する回路における冷媒の圧力が過度に上昇することを抑制する。すなわち、圧力調整弁２４は、冷媒放出回路ＲＣ３内の圧力が第３閾値ΔＴｈ３以上となった時に、冷媒放出回路ＲＣ３内の圧力を熱源側回路ＲＣ１へ逃がす。圧力調整弁２４としては、公知のものが採用され、例えば弾性体によって弁体の位置を調節するタイプのものが用いられる。なお、ここでの第３閾値ΔＴｈ３は、設計仕様や設置環境に応じて適宜調整が可能である。
【００４８】
また、熱源ユニット１０は、熱源側熱交換器１４を通過する熱源側空気流を生成する熱源側ファン２５を有している。熱源側ファン２５は、熱源側熱交換器１４を流れる冷媒の冷却源又は加熱源としての熱源側空気流を熱源側熱交換器１４に供給する送風機である。熱源側ファン２５は、駆動源である熱源側ファンモータ（図示省略）を含み、状況に応じて発停及び回転数を適宜制御される。
【００４９】
また、熱源ユニット１０には、冷媒回路ＲＣ内の冷媒の状態（主に圧力又は温度）を検出するための複数の熱源側センサ２６（図２参照）が配置されている。熱源側センサ２６は、圧力センサや、サーミスタ又は熱電対等の温度センサである。熱源側センサ２６には、例えば、圧縮機１１の吸入側における冷媒の圧力である吸入圧力を検出する吸入圧力センサ、圧縮機１１の吐出側における冷媒の圧力である吐出圧力を検出する吐出圧力センサ、熱源側熱交換器１４における冷媒の温度を検出する温度センサ、冷媒放出回路ＲＣ３内の冷媒の圧力を検出する圧力センサ等が含まれる。
【００５０】
また、熱源ユニット１０は、熱源ユニット１０に含まれる各機器の動作・状態を制御する熱源ユニット制御部３０を有している。熱源ユニット制御部３０は、ＣＰＵやメモリ等を有するマイクロコンピュータを含んでいる。熱源ユニット制御部３０は、熱源ユニット１０に含まれる各機器（11、13、16、17、18、22、23、25等）や熱源側センサ２６と電気的に接続されており、互いに信号の入出力を行う。また、熱源ユニット制御部３０は、各利用ユニット４０の利用ユニット制御部４８（後述）やリモコン６０と、通信線ｃｂを介して、個別に制御信号等の送受信を行う。
【００５１】
（１−２）利用ユニット４０
各利用ユニット４０は、液側連絡配管Ｌ１及びガス側連絡配管Ｇ１を介して熱源ユニット１０と接続されている。各利用ユニット４０は、熱源ユニット１０に対して、他の利用ユニット４０と並列又は直列に配置されている。各利用ユニット４０は、対象空間に配置され、冷媒回路ＲＣの一部（利用側回路ＲＣ２）を構成している。各利用ユニット４０は、利用側回路ＲＣ２を構成する機器として、主として、複数の冷媒配管（第１７配管Ｐ１７−第１８配管Ｐ１８）と、利用側膨張弁４１と、利用側熱交換器４２と、を有している。
【００５２】
第１７配管Ｐ１７は、液側連絡配管Ｌ１と、利用側熱交換器４２の液側冷媒出入口とを接続する。第１８配管Ｐ１８は、利用側熱交換器４２のガス側冷媒出入口と、ガス側連絡配管Ｇ１とを接続する。なお、これらの冷媒配管（Ｐ１７―Ｐ１８）は、実際には、単一の配管で構成されてもよいし、継手等を介して複数の配管が接続されることで構成されてもよい。
【００５３】
利用側膨張弁４１は、（特許請求の範囲記載の「減圧弁」に相当）は、開度制御が可能な電子膨張弁であり、開度に応じて流入する冷媒を減圧する又は流量調節する。利用側膨張弁４１は、開状態と閉状態とを切換可能である。利用側膨張弁４１は、第１７配管Ｐ１７上に配置されており、液側連絡配管Ｌ１と利用側熱交換器４２との間に位置している。
【００５４】
利用側熱交換器４２は、冷媒の蒸発器又は凝縮器（又は放熱器）として機能する熱交換器である。利用側熱交換器４２は、正サイクル運転時には、冷媒の蒸発器として機能する。また、利用側熱交換器４２は、逆サイクル運転時には、冷媒の凝縮器として機能する。利用側熱交換器４２は、複数の伝熱管と、伝熱フィンと、を含む（図示省略）。利用側熱交換器４２は、伝熱管内の冷媒と、伝熱管又は伝熱フィンの周囲を通過する空気（後述の利用側空気流）と、の間で熱交換が行われるように構成されている。
【００５５】
また、利用ユニット４０は、対象空間内の空気を吸入し、利用側熱交換器４２を通過させ冷媒と熱交換させた後に、対象空間に再び送るための利用側ファン４５を有している。利用側ファン４５は、対象空間内に配置されている。利用側ファン４５は、駆動源である利用側ファンモータ（図示省略）を含む。利用側ファン４５は、駆動時に、利用側熱交換器４２を流れる冷媒の加熱源又は冷却源としての利用側空気流を生成する。
【００５６】
また、利用ユニット４０には、冷媒回路ＲＣ内の冷媒の状態（主に圧力又は温度）を検出するための利用側センサ４６（図２参照）が配置されている。利用側センサ４６は、圧力センサや、サーミスタ又は熱電対等の温度センサである。利用側センサ４６には、例えば、利用側熱交換器４２における冷媒の温度を検出する温度センサ、利用側回路ＲＣ２内の冷媒の圧力を検出する圧力センサ等が含まれる。
【００５７】
また、利用ユニット４０は、利用ユニット４０に含まれる各機器の動作・状態を制御する利用ユニット制御部４８を有している。利用ユニット制御部４８は、ＣＰＵやメモリ等を含むマイクロコンピュータを有している。利用ユニット制御部４８は、利用ユニット４０に含まれる機器（４１、４５）や利用側センサ４６と電気的に接続されており、互いに信号の入出力を行う。また、利用ユニット制御部４８は、熱源ユニット制御部３０やリモコン６０と通信線ｃｂを介して接続されており、制御信号等の送受信を行う。
【００５８】
（１−３）液側連絡配管Ｌ１、ガス側連絡配管Ｇ１
液側連絡配管Ｌ１及びガス側連絡配管Ｇ１は、熱源ユニット１０及び各利用ユニット４０を接続する連絡配管であり、現地にて施工される。液側連絡配管Ｌ１及びガス側連絡配管Ｇ１の配管長や配管径については、設計仕様や設置環境に応じて適宜選定される。なお、液側連絡配管Ｌ１及びガス側連絡配管Ｇ１は、実際には、単一の配管で構成されてもよいし、継手等を介して複数の配管が接続されることで構成されてもよい。
【００５９】
（１−４）冷媒漏洩センサ５０
冷媒漏洩センサ５０は、利用ユニット４０が配置される対象空間（より詳細には、利用ユニット４０内）における冷媒漏洩を検知するためのセンサである。本実施形態では、冷媒漏洩センサ５０は、冷媒回路ＲＣに封入されている冷媒の種別に応じて公知の汎用品が用いられている。冷媒漏洩センサ５０は、対象空間内に配置されている。より詳細には、冷媒漏洩センサ５０は、利用ユニット４０と１対１に対応付けられ、対応する利用ユニット４０内に配置されている。
【００６０】
冷媒漏洩センサ５０は、継続的又は間欠的にコントローラ７０に対して、検出値に応じた電気信号（冷媒漏洩センサ検出信号）を出力している。より詳細には、冷媒漏洩センサ５０から出力される冷媒漏洩センサ検出信号は、冷媒漏洩センサ５０によって検出される冷媒の濃度に応じて電圧が変化する。換言すると、冷媒漏洩センサ検出信号は、冷媒回路ＲＣにおける冷媒漏洩の有無に加えて、冷媒漏洩センサ５０が設置される対象空間における漏洩冷媒の濃度（より詳細には冷媒漏洩センサ５０が検出した冷媒の濃度）を特定可能な態様でコントローラ７０へ出力される。すなわち、冷媒漏洩センサ５０は、利用側回路ＲＣ２から流出する冷媒（より詳細には冷媒の濃度）を直接的に検出することで利用側回路ＲＣ２における冷媒漏洩を検出する「冷媒漏洩検出部」に相当する。
【００６１】
（１−５）リモコン６０
リモコン６０は、ユーザが空調システム１００の運転状態を切り換えるための各種コマンドを入力するための入力装置である。例えば、リモコン６０は、利用ユニット４０の発停や設定温度等を切り換えるコマンドを、ユーザによって入力される。
【００６２】
また、リモコン６０は、ユーザに対して各種情報を表示するための表示装置としても機能する。例えば、リモコン６０は、利用ユニット４０の運転状態（設定温度等）を表示する。また、例えば、リモコン６０は、冷媒漏洩時には、冷媒漏洩が生じている事実及びこれに係る対応処理等を管理者に対して報知する情報（以下、冷媒漏洩報知情報）を表示する。
【００６３】
リモコン６０は、コントローラ７０（より詳細には対応する利用ユニット制御部４８）と通信線ｃｂを介して接続されており、相互に信号の送受信を行っている。リモコン６０は、ユーザによって入力されたコマンドを、通信線ｃｂを介してコントローラ７０に送信する。また、リモコン６０は、通信線ｃｂを介して受信する指示に応じて情報を表示する。
【００６４】
（１−６）コントローラ７０
コントローラ７０（特許請求の範囲記載の「制御部」に相当）は、各機器の状態を制御することで空調システム１００の動作を制御するコンピュータである。本実施形態において、コントローラ７０は、熱源ユニット制御部３０と、各利用ユニット４０内の利用ユニット制御部４８と、が通信線ｃｂを介して接続されることで構成されている。コントローラ７０の詳細については、後述の「（４）コントローラ７０の詳細」において説明する。
【００６５】
（２）熱源側回路ＲＣ１、利用側回路ＲＣ２、冷媒放出回路ＲＣ３
冷媒回路ＲＣには、熱源側回路ＲＣ１と、熱源側回路ＲＣ１と接続される複数の利用側回路ＲＣ２と、熱源側回路ＲＣ１と接続される冷媒放出回路ＲＣ３と、が含まれている。通常、冷媒漏洩が生じていない場合には、熱源側回路ＲＣ１と、運転中の利用ユニット４０における利用側回路ＲＣ２と、の間で冷媒が循環する。すなわち、通常、運転時には、熱源側回路ＲＣ１及び利用側回路ＲＣ２で冷凍サイクルが行われる。
【００６６】
冷媒放出回路ＲＣ３は、冷媒漏洩が生じた際に保安性を確保するための回路であり、主として、第１流路ＲＰ１及び第２流路ＲＰ２を含む。第１流路ＲＰ１及び第２流路ＲＰ２は、熱源側回路ＲＣ１と個別に連通する。
【００６７】
第１流路ＲＰ１は、主として、第１２配管Ｐ１２、熱源側第４制御弁２２、第１３配管Ｐ１３、及び冷媒放出機構２１によって構成される冷媒の流路である。第１流路ＲＰ１は、一端が熱源側回路ＲＣ１（ここでは第６配管Ｐ６）に接続される。熱源側第４制御弁２２が閉状態にある場合には、第１流路ＲＰ１は開通せず熱源側回路ＲＣ１からの冷媒の流れを遮られる。一方、熱源側第４制御弁２２が開状態にある場合には、第１流路ＲＰ１は開通して熱源側回路ＲＣ１からの冷媒が流入する。
【００６８】
第２流路ＲＰ２は、主として、第１４配管Ｐ１４、熱源側第５制御弁２３、第１５配管Ｐ１５、圧力調整弁２４及び第１６配管Ｐ１６によって構成される冷媒の流路である。第２流路ＲＰ２は、一端が第１流路ＲＰ１とは別に熱源側回路ＲＣ１（ここでは第１１配管Ｐ１１）に接続され、他端が第１流路ＲＰ１（ここでは第１３配管Ｐ１３）に接続されている。熱源側第５制御弁２３が閉状態にある場合には、第２流路ＲＰ２は開通せず第１流路ＲＰ１からの冷媒の流れが遮られる。一方、熱源側第５制御弁２３が開状態にある場合には、第２流路ＲＰ２は開通し冷媒放出回路ＲＣ３と熱源側回路ＲＣ１との間で冷媒が出入りする。
【００６９】
（３）冷媒回路ＲＣにおける冷媒の流れ
以下、冷媒回路ＲＣにおける冷媒の流れについて説明する。空調システム１００では、主として、正サイクル運転と逆サイクル運転が行われる。ここでの冷凍サイクルにおける低圧は、圧縮機１１の吸入される冷媒の圧力（吸入圧力）であり、冷凍サイクルにおける高圧は、圧縮機１１から吐出される冷媒の圧力（吐出圧力）である。
【００７０】
なお、冷媒漏洩センサ５０によって冷媒漏洩が検出されていない場合には、熱源側第４制御弁２２が閉状態に制御されており、冷媒放出回路ＲＣ３の第１流路ＲＰ１は開通していない。また、冷媒漏洩センサ５０によって冷媒漏洩が検出されていない場合には、熱源側第５制御弁２３が開状態にされ第２流路ＲＰ２は開通しており、冷媒放出回路ＲＣ３内の冷媒の圧力が第３閾値ΔＴｈ３以上となった時には圧力調整弁２４が作動して第２流路ＲＰ２内の冷媒が熱源側回路ＲＣ１側へ送られる。これにより、冷媒漏洩が生じていない場合に、冷媒放出回路ＲＣ３内の冷媒の圧力が第１閾値ΔＴｈ１以上となることが抑制され、冷媒放出機構２１が誤って作動する（開放状態となる）ことが抑制されている。
【００７１】
（３−１）正サイクル運転時の冷媒の流れ
正サイクル運転時には、四路切換弁１３が正サイクル状態に制御され、冷媒回路ＲＣに充填された冷媒が、主として、圧縮機１１、熱源側熱交換器１４、熱源側第１制御弁１６、過冷却器１５、熱源側第２制御弁１７、運転中の利用ユニット４０（利用側膨張弁４１及び利用側熱交換器４２）、圧縮機１１の順に循環する。正サイクル運転においては、第６配管Ｐ６を流れる冷媒の一部が第９配管Ｐ９へ分岐して、熱源側第３制御弁１８及び過冷却器１５（サブ流路１５２）を通過した後に、圧縮機１１に戻される。
【００７２】
具体的に、正サイクル運転が開始されると、熱源側回路ＲＣ１内において、冷媒が圧縮機１１に吸入されて圧縮された後に吐出される。圧縮機１１では、運転中の利用ユニット４０で要求される熱負荷に応じた容量制御が行われる。具体的には、吸入圧力の目標値が利用ユニット４０で要求される熱負荷に応じて設定され、吸入圧力が目標値になるように圧縮機１１の運転周波数が制御される。圧縮機１１から吐出されたガス冷媒は、熱源側熱交換器１４に流入する。
【００７３】
熱源側熱交換器１４に流入したガス冷媒は、熱源側熱交換器１４において、熱源側ファン２５によって送られる熱源側空気流と熱交換を行って放熱して凝縮する。熱源側熱交換器１４から流出した冷媒は、第６配管Ｐ６を流れる過程で分岐する。
【００７４】
第６配管Ｐ６を流れる過程で分岐した一方の冷媒は、熱源側第１制御弁１６に流入し、熱源側第１制御弁１６の開度に応じて減圧又は流量調整された後、過冷却器１５のメイン流路１５１に流入する。過冷却器１５のメイン流路１５１に流入した冷媒は、サブ流路１５２を流れる冷媒と熱交換を行ってさらに冷却されて過冷却状態の液冷媒になる。過冷却器１５のメイン流路１５１から流出した液冷媒は、熱源側第２制御弁１７の開度に応じて減圧又は流量調整される。この際、冷媒は気液二相状態となる。その後、冷媒は、熱源側回路ＲＣ１から流出し、液側連絡配管Ｌ１を経て運転中の利用ユニット４０の利用側回路ＲＣ２に流入する。
【００７５】
第６配管Ｐ６を流れる過程で分岐した他方の冷媒は、熱源側第３制御弁１８に流入し、熱源側第３制御弁１８の開度に応じて減圧又は流量調整された後、過冷却器１５のサブ流路１５２に流入する。過冷却器１５のサブ流路１５２に流入した冷媒は、メイン流路１５１を流れる冷媒と熱交換を行った後、第１１配管Ｐ１１を経て第２配管Ｐ２を流れる冷媒に合流する。
【００７６】
運転中の利用ユニット４０の利用側回路ＲＣ２に流入した冷媒は、利用側膨張弁４１に流入し、利用側膨張弁４１の開度に応じて冷凍サイクルにおける低圧になるまで減圧された後、利用側熱交換器４２に流入する。
【００７７】
利用側熱交換器４２に流入した冷媒は、利用側ファン４５によって送られる利用側空気流と熱交換を行って蒸発し、ガス冷媒になり、利用側熱交換器４２から流出する。利用側熱交換器４２から流出したガス冷媒は、利用側回路ＲＣ２から流出する。
【００７８】
利用側回路ＲＣ２から流出した冷媒は、ガス側連絡配管Ｇ１を経て、熱源ユニット１０に流入する。熱源ユニット１０に流入した冷媒は、第１配管Ｐ１を流れ、四路切換弁１３及び第２配管Ｐ２を経て、アキュームレータ１２に流入する。アキュームレータ１２に流入した冷媒は、一時的に溜められた後、再び圧縮機１１に吸入される。
【００７９】
（３−２）逆サイクル運転時の冷媒の流れ
逆サイクル運転時には、四路切換弁１３が逆サイクル状態に制御され、冷媒回路ＲＣに充填された冷媒が、主として、圧縮機１１、運転中の利用ユニット４０（利用側熱交換器４２及び利用側膨張弁４１）、熱源側第２制御弁１７、過冷却器１５、熱源側第１制御弁１６、熱源側熱交換器１４、圧縮機１１の順に循環する。
【００８０】
具体的に、逆サイクル運転が開始されると、熱源側回路ＲＣ１内において、冷媒が圧縮機１１に吸入されて圧縮された後に吐出される。圧縮機１１では、運転中の利用ユニット４０で要求される熱負荷に応じた容量制御が行われる。圧縮機１１から吐出されたガス冷媒は、第４配管Ｐ４及び第１配管Ｐ１を経て熱源側回路ＲＣ１から流出し、ガス側連絡配管Ｇ１を経て運転中の利用ユニット４０の利用側回路ＲＣ２に流入する。
【００８１】
利用側回路ＲＣ２に流入した冷媒は、利用側熱交換器４２に流入して、利用側ファン４５によって送られる利用側空気流と熱交換を行って凝縮する。利用側熱交換器４２から流出した冷媒は、利用側膨張弁４１に流入し、利用側膨張弁４１の開度に応じて冷凍サイクルにおける低圧になるまで減圧された後、利用側回路ＲＣ２から流出する。
【００８２】
利用側回路ＲＣ２から流出した冷媒は、液側連絡配管Ｌ１を経て運転中の熱源側回路ＲＣ１に流入する。熱源側回路ＲＣ１に流入した冷媒は、第８配管Ｐ８、熱源側第２制御弁１７、過冷却器１５、第７配管Ｐ７、熱源側第１制御弁１６及び第６配管Ｐ６を経て、熱源側熱交換器１４の液側出入口に流入する。
【００８３】
熱源側熱交換器１４に流入した冷媒は、熱源側熱交換器１４において、熱源側ファン２５によって送られる熱源側空気流と熱交換を行って蒸発する。熱源側熱交換器１４のガス側出入口から流出した冷媒は、第５配管Ｐ５、四路切換弁１３及び第２配管Ｐ２を経て、アキュームレータ１２に流入する。アキュームレータ１２に流入した冷媒は、一時的に溜められた後、再び圧縮機１１に吸入される。
【００８４】
（４）コントローラ７０の詳細
空調システム１００では、熱源ユニット制御部３０、及び利用ユニット制御部４８が通信線ｃｂで接続されることで、コントローラ７０が構成されている。図２は、コントローラ７０と、コントローラ７０に接続される各部と、を概略的に示したブロック図である。
【００８５】
コントローラ７０は、複数の制御モードを有し、遷移している制御モードに応じて各機器の動作を制御する。本実施形態において、コントローラ７０は、制御モードとして、運転時（冷媒漏洩が生じていない場合）に遷移する通常運転モードと、冷媒漏洩が生じた場合（より詳細には漏洩冷媒が検出された場合）に遷移する冷媒漏洩モードと、を有している。
【００８６】
コントローラ７０は、空調システム１００に含まれる機器（具体的には、熱源ユニット１０に含まれる圧縮機１１、熱源側第１制御弁１６、熱源側第２制御弁１７、熱源側第３制御弁１８、熱源側第４制御弁２２、熱源側第５制御弁２３、熱源側ファン２５及び熱源側センサ２６と、各利用ユニット４０に含まれる利用側膨張弁４１、利用側ファン４５及び利用側センサ４６と、各冷媒漏洩センサ５０と、各リモコン６０等）と、電気的に接続されている。
【００８７】
コントローラ７０は、主として、記憶部７１と、入力制御部７２と、モード制御部７３と、冷媒漏洩判定部７４と、機器制御部７５と、駆動信号出力部７６と、表示制御部７７と、を有している。なお、コントローラ７０内におけるこれらの各機能部は、熱源ユニット制御部３０及び／又は利用ユニット制御部４８に含まれるＣＰＵ、メモリ、及び各種電気・電子部品が一体的に機能することによって実現されている。
【００８８】
（４−１）記憶部７１
記憶部７１は、例えば、ROM、RAM、及びフラッシュメモリ等で構成されており、揮発性の記憶領域と不揮発性の記憶領域を含む。記憶部７１には、コントローラ７０の各部における処理を定義した制御プログラムを格納されるプログラム記憶領域Ｍ１が含まれている。
【００８９】
また、記憶部７１には、各種センサの検出値を記憶するための検出値記憶領域Ｍ２が含まれている。検出値記憶領域Ｍ２には、例えば、熱源側センサ２６及び利用側センサ４６の検出値（吸入圧力、吐出圧力、吐出温度、熱源側熱交換器１４内の冷媒温度、又は利用側熱交換器４２内の冷媒温度等）が記憶される。
【００９０】
また、記憶部７１には、冷媒漏洩センサ５０から送信される冷媒漏洩センサ検出信号（冷媒漏洩センサ５０の検出値）を記憶するためのセンサ信号記憶領域Ｍ３が含まれている。センサ信号記憶領域Ｍ３は、冷媒漏洩センサ５０の数に応じた記憶領域を有しており、受信した冷媒漏洩センサ検出信号は、送信元の冷媒漏洩センサ５０に対応する領域に格納される。センサ信号記憶領域Ｍ３に記憶される冷媒漏洩信号は、冷媒漏洩センサ５０から出力された冷媒漏洩信号を受信するたびに更新される。
【００９１】
また、記憶部７１には、各リモコン６０に入力されたコマンドを、記憶するためのコマンド記憶領域Ｍ４が含まれている。
【００９２】
また、記憶部７１には、所定のビット数を有する複数のフラグが設けられている。例えば、記憶部７１には、コントローラ７０が遷移している制御モードを判別可能な制御モード判別フラグＭ５が設けられている。制御モード判別フラグＭ５は、制御モードの数に応じたビット数を含み、遷移する制御モードに対応するビットを立てられる。
【００９３】
また、記憶部７１には、対象空間内における冷媒漏洩が検出されたことを判別するための冷媒漏洩検出フラグＭ６が設けられている。より詳細には、冷媒漏洩検出フラグＭ６は、利用ユニット４０の設置台数に応じた数のビット数を有しており、冷媒漏洩が生じたと想定される利用ユニット４０（冷媒漏洩ユニット）に対応するビットを立てられる。すなわち、冷媒漏洩検出フラグＭ６は、利用側回路ＲＣ２において冷媒漏洩が生じた際に、いずれの利用ユニット４０（利用側回路ＲＣ２）で冷媒漏洩が生じたかを判別可能に構成されている。冷媒漏洩検出フラグＭ６は、冷媒漏洩判定部７４によって切り換えられる。
【００９４】
また、記憶部７１には、冷媒放出機構２１を介した冷媒の放出を行うべき状況にあることを判別するための冷媒放出フラグＭ７が設けられている。冷媒放出フラグＭ７は、冷媒漏洩判定部７４によって切り換えられる。
【００９５】
また、記憶部７１には、冷媒漏洩モードにおいて実行される冷媒漏洩第４制御（後述）により冷媒の放出が完了したか否かを判別する冷媒放出完了フラグＭ８が設けられている。冷媒放出完了フラグＭ８は、冷媒漏洩第４制御が完了した場合に立てられる。
【００９６】
（４−２）入力制御部７２
入力制御部７２は、コントローラ７０に接続される各機器から出力される信号を受け付けるためのインターフェースとしての役割を果たす機能部である。例えば、入力制御部７２は、各センサ（２６、４６、５０）やリモコン６０から出力された信号を受けて、記憶部７１の対応する記憶領域に格納する、又は所定のフラグをたてる。
【００９７】
（４−３）モード制御部７３
モード制御部７３は、制御モードを切り換える機能部である。モード制御部７３は、通常時（冷媒漏洩検出フラグＭ６が立てられていない時）には、制御モードを通常運転モードに切り換える。モード制御部７３は、冷媒漏洩検出フラグＭ６が立てられている時には、制御モードを冷媒漏洩モードに切り換える。モード制御部７３は、遷移している制御モードに応じて制御モード判別フラグＭ５を立てる。
【００９８】
（４−４）冷媒漏洩判定部７４
冷媒漏洩判定部７４は、冷媒回路ＲＣ（利用側回路ＲＣ２）において冷媒漏洩が生じているか否かを判別する機能部である。具体的に、冷媒漏洩判定部７４は、所定の冷媒漏洩検出条件が満たされる場合に、冷媒回路ＲＣ（利用側回路ＲＣ２）において冷媒漏洩が生じていると判定し、冷媒漏洩検出フラグＭ６を立てる。
【００９９】
本実施形態において、冷媒漏洩検出条件が満たされるか否かは、センサ信号記憶領域Ｍ３における冷媒漏洩センサ検出信号に基づき判定される。具体的に、冷媒漏洩検出条件は、いずれかの冷媒漏洩センサ検出信号に係る電圧値（冷媒漏洩センサ５０の検出値）が所定の第１基準値以上である時間が所定時間ｔ１以上継続することによって満たされる。第１基準値は、利用側回路ＲＣ２における冷媒漏洩が想定される値（冷媒の濃度）である。所定時間ｔ１は、冷媒漏洩センサ検出信号が瞬時的なものでないことを判定可能な時間に設定される。冷媒漏洩判定部７４は、冷媒漏洩検出条件が満たされた冷媒漏洩センサ検出信号の送信元の冷媒漏洩センサ５０に基づき、冷媒漏洩ユニット（冷媒漏洩が生じたと想定される利用ユニット４０）を特定し、冷媒漏洩検出フラグＭ６において冷媒漏洩ユニットに対応するビットを立てる。すなわち、冷媒漏洩判定部７４は、各冷媒漏洩センサ５０とともに、各利用側回路ＲＣ２の冷媒漏洩を個別に検知する「冷媒漏洩検知部」に相当する。
【０１００】
なお、所定時間ｔ１は、冷媒回路ＲＣに封入されている冷媒の種別や、各機器の仕様、又は設置環境等に応じて適宜設定され、制御プログラムにおいて定義されている。冷媒漏洩判定部７４は、所定時間ｔ１を計測可能に構成される。
【０１０１】
また、第１基準値は、冷媒回路ＲＣに封入されている冷媒の種別や設計仕様及び設置環境等に応じて適宜設定され、制御プログラムにおいて定義されている。
【０１０２】
（４−５）機器制御部７５
機器制御部７５は、制御プログラムに沿って、状況に応じて、空調システム１００に含まれる各機器（例えば１１、１３、１６、１７、１８、２２、２３、２５、４１、４５等）の動作を制御する。機器制御部７５は、制御モード判別フラグＭ５を参照することで遷移している制御モードを判別し、判別した制御モードに基づき各機器の動作を制御する。
【０１０３】
例えば、機器制御部７５は、通常運転モード時には、設定温度や各センサの検出値等に応じて正サイクル運転又は逆サイクル運転が行われるように、圧縮機１１の運転容量、熱源側ファン２５及び利用側ファン４５の回転数、熱源側第１制御弁１６の開度、熱源側第３制御弁１８の開度、及び利用側膨張弁４１の開度等をリアルタイムに制御する。
【０１０４】
機器制御部７５は、正サイクル運転時には、四路切換弁１３を正サイクル状態に制御し、熱源側熱交換器１４を冷媒の凝縮器（又は放熱器）として機能させるとともに運転中の利用ユニット４０の利用側熱交換器４２を冷媒の蒸発器として機能させる。また、機器制御部７５は、逆サイクル運転時には、四路切換弁１３を逆サイクル状態に制御し、熱源側熱交換器１４を冷媒の蒸発器として機能させるとともに運転中の利用ユニット４０の利用側熱交換器４２を冷媒の凝縮器（又は放熱器）として機能させる。
【０１０５】
また、機器制御部７５は、通常時（利用側回路ＲＣ２における冷媒漏洩が検出されない時）には、熱源側第４制御弁２２を閉状態に制御するとともに熱源側第５制御弁２３を開状態に制御する。
【０１０６】
また、機器制御部７５は、状況に応じて、以下のような各種制御を実行する。なお、機器制御部７５は、時間を計測可能に構成される。
【０１０７】
〈冷媒漏洩第１制御〉
機器制御部７５は、対象空間内における冷媒漏洩が生じたと想定される時（具体的には冷媒漏洩検出フラグＭ６が立てられた時）には、冷媒漏洩第１制御を実行する。機器制御部７５は、冷媒漏洩第１制御において、冷媒漏洩ユニット（冷媒漏洩が生じた利用ユニット４０）の利用側膨張弁４１を閉状態に制御する。これにより、冷媒漏洩ユニットへの冷媒の流入が抑制され、更なる冷媒漏洩が抑制される。すなわち、冷媒漏洩第１制御は、冷媒漏洩が生じた際に利用側回路ＲＣ２における冷媒漏洩を抑制するための制御である。
【０１０８】
〈冷媒漏洩第２制御〉
機器制御部７５は、対象空間内における冷媒漏洩が生じたと想定される時には、冷媒漏洩第２制御を実行する。機器制御部７５は、冷媒漏洩第２制御において各利用ユニット４０の利用側ファン４５を冷媒漏洩第２制御用の回転数（風量）で運転させる。冷媒漏洩第２制御は、対象空間内において漏洩冷媒の濃度が大きい領域が局所的に発生することを防止するために、利用側ファン４５を所定の回転数で運転させる制御である。
【０１０９】
なお、係る冷媒漏洩第２制御における利用側ファン４５の回転数については特に限定されないが、本実施形態では最大回転数（すなわち最大風量）に設定される。係る冷媒漏洩第２制御により、対象空間内において冷媒漏洩が生じた場合であっても、利用側ファン４５によって生成される利用側空気流により対象空間内において漏洩冷媒が攪拌され、対象空間内において漏洩冷媒の濃度が危険な値の領域が生じることが抑制される。
【０１１０】
〈冷媒漏洩第３制御〉
機器制御部７５は、対象空間内における冷媒漏洩が生じたと想定される時には、冷媒漏洩第３制御を実行する。機器制御部７５は、冷媒漏洩第３制御において、熱源側回路ＲＣ１への冷媒の回収を図るポンプダウン運転が行われるように各機器の動作を制御する。すなわち、冷媒漏洩第３制御は、冷媒漏洩が生じた際に利用側回路ＲＣ２における冷媒の熱源側回路ＲＣ１への回収を促進し、熱源側回路ＲＣ１から利用側回路ＲＣ２への冷媒の流れを妨げ、利用側回路ＲＣ２における冷媒漏洩を抑制するための制御である。
【０１１１】
具体的に、機器制御部７５は、冷媒漏洩第３制御において、四路切換弁１３を正サイクル状態に制御する。また、機器制御部７５は、冷媒漏洩第３制御において、利用側回路ＲＣ２よりも冷媒流れの上流側に位置する熱源側第２制御弁１７、及び熱源側第３制御弁１８を閉状態に制御し、圧縮機１１を所定回転数で運転させる。これにより、利用側回路ＲＣ２への冷媒の流れが妨げられるとともに、冷媒回路ＲＣ内の冷媒が熱源側回路ＲＣ１内に回収される。なお、冷媒漏洩第３制御における圧縮機１１の回転数については特に限定されないが、本実施形態では冷媒回収がより促進されるように最大回転数に設定される。
【０１１２】
〈冷媒漏洩第４制御〉
機器制御部７５は、冷媒放出機構２１を介した冷媒の放出を行うべき状況にあることが想定される時（ここでは対象空間内における冷媒漏洩が生じてポンプダウン運転が開始された後、冷媒放出フラグＭ７が立てられた時）には、冷媒漏洩第４制御を実行する。冷媒漏洩第４制御は、冷媒放出機構２１を開状態に移行させて、冷媒回路ＲＣにおける冷媒を外部空間へ放出させることで、利用側回路ＲＣ２における保安性を確実に確保するための制御である。すなわち、熱源側第２制御弁１７のような制御弁（電子膨張弁や電磁弁）は、その構造上、閉状態に制御された場合であっても、冷媒の流れを完全に遮断することはできないという特性を有する。このため、冷媒漏洩時に熱源側第２制御弁１７が閉状態に制御されたとしても、熱源側第２制御弁１７を通過する微量の冷媒が利用側回路ＲＣ２側へ流れることが想定される。係る場合には、対象空間において漏洩冷媒が滞留して、局所的に危険性のある濃度となることが懸念される。係る事態を確実に防止するべく、冷媒漏洩第４制御が実行される。
【０１１３】
機器制御部７５は、冷媒漏洩第４制御において、熱源側第５制御弁２３を閉状態に制御し、熱源側第４制御弁２２を開状態（最大開度）に制御する。これにより、冷媒放出回路ＲＣ３の第２流路ＲＰ２が遮断され、第１流路ＲＰ１が開通する。その結果、第１流路ＲＰ１が熱源側回路ＲＣ１と連通した状態となる。また、機器制御部７５は、冷媒漏洩第４制御において、熱源側第１制御弁１６を閉状態に制御する。これにより、熱源側回路ＲＣ１内の冷媒が、第１流路ＲＰ１に流入して第１流路ＲＰ１内の冷媒の圧力上昇が促進される。そして、第１流路ＲＰ１内の冷媒の圧力が第１閾値ΔＴｈ１以上となったことに応じて、冷媒放出機構２１が作動して開放状態となり冷媒回路ＲＣ内の冷媒が外部空間へ放出される。すなわち、機器制御部７５は、冷媒漏洩第４制御において、熱源側第５制御弁２３を閉状態に切り換えるとともに熱源側第４制御弁２２を開状態に切り換えることで、冷媒放出機構２１を開放状態に移行させる。
【０１１４】
機器制御部７５は、冷媒漏洩第４制御実行開始後（冷媒の放出開始後）、所定の冷媒放出完了条件が満たされることを契機として、冷媒漏洩第４制御を完了する。そして、機器制御部７５は、熱源側第２制御弁１７を閉状態に制御したまま圧縮機１１を停止させる。また、機器制御部７５は、熱源側回路ＲＣ１内の他の制御弁（１６、１８、２２、２３）を開状態に制御する。なお、冷媒放出完了条件は、冷媒回路ＲＣの構成態様や設計仕様（例えば、冷媒回路ＲＣに封入された冷媒量や圧縮機１１の回転数）に応じて予め算出されており、制御プログラムにおいて定義されている。本実施形態では、冷媒放出完了条件は、冷媒漏洩第４制御実行開始後、所定時間ｔ２（冷媒回路ＲＣ内の冷媒の放出が完了したことが想定される時間）が経過したことをもって満たされるものとされる。
【０１１５】
（４−６）駆動信号出力部７６
駆動信号出力部７６は、機器制御部７５の制御内容に応じて、各機器（１１、１３、１６、１７、１８、２２、２３、２５、４１、４５等）に対して対応する駆動信号（駆動電圧）を出力する。駆動信号出力部７６には、インバータ（図示省略）が複数含まれており、特定の機器（例えば圧縮機１１、熱源側ファン２５、又は各利用側ファン４５等）に対しては、対応するインバータから駆動信号を出力する。
【０１１６】
（４−７）表示制御部７７
表示制御部７７は、表示装置としてのリモコン６０の動作を制御する機能部である。表示制御部７７は、運転状態や状況に係る情報をユーザに対して表示すべく、リモコン６０に所定の情報を出力させる。例えば、表示制御部７７は、通常モードで運転中には、設定温度等の各種情報をリモコン６０に表示させる。
【０１１７】
また、表示制御部７７は、冷媒漏洩検出フラグＭ６が立てられた場合には、冷媒漏洩報知情報をリモコン６０に表示させる。これにより、管理者が、冷媒漏洩が生じた事実を把握できるようになっており、所定の対応をとることが可能となっている。
【０１１８】
（５）コントローラ７０の処理の流れ
以下、コントローラ７０の処理の流れの一例について、図３を参照しながら説明する。図３は、コントローラ７０の処理の流れの一例を示したフローチャートである。コントローラ７０は、電源を投入されると、図３のステップＳ１０１からＳ１１２に示すような流れで処理を行う。なお、図３に示す処理の流れは、一例であり適宜変更可能である。例えば、矛盾のない範囲でステップの順序が変更されてもよいし、一部のステップが他のステップと並列に実行されてもよいし、他のステップが新たに追加されてもよい。
【０１１９】
ステップＳ１０１において、コントローラ７０は、利用側回路ＲＣ２において冷媒漏洩が生じたと想定される場合（すなわちＹＥＳの場合）には、ステップＳ１０５へ進む。コントローラ７０は、利用側回路ＲＣ２において冷媒漏洩が生じていないと想定される場合（すなわちＮＯの場合）には、ステップＳ１０２へ進む。
【０１２０】
ステップＳ１０２において、コントローラ７０は、運転開始コマンドが入力されていない場合（すなわちＮＯの場合）には、ステップＳ１０１に戻る。一方、運転開始コマンドが入力されている場合（すなわちＹＥＳの場合）には、コントローラ７０は、ステップＳ１０３へ進む。
【０１２１】
ステップＳ１０３において、コントローラ７０は、通常運転モードに遷移する（又は通常運転モードを維持する）。その後ステップＳ１０４へ進む。
【０１２２】
ステップＳ１０４において、コントローラ７０は、入力されているコマンド、設定温度、及び各センサ（２６、４６）の検出値等に応じて、各機器の状態をリアルタイムに制御することで正サイクル運転を行わせる。また、図示は省略するが、コントローラ７０は、設定温度等の各種情報をリモコン６０に表示させる。その後、ステップＳ１０１に戻る。
【０１２３】
ステップＳ１０５において、コントローラ７０は、冷媒漏洩モードに遷移する。その後、コントローラ７０は、ステップＳ１０６へ進む。
【０１２４】
ステップＳ１０６において、コントローラ７０は、リモコン６０において冷媒漏洩報知情報を出力させる。これにより、管理者は冷媒漏洩が生じていることを把握しうる。その後、コントローラ７０は、ステップＳ１０７へ進む。
【０１２５】
ステップＳ１０７において、コントローラ７０は、冷媒漏洩第１制御を実行する。具体的には、コントローラ７０は、冷媒漏洩ユニットの利用側膨張弁４１を閉状態に制御する。これにより、冷媒漏洩ユニットの利用側回路ＲＣ２への冷媒の流れが妨げられ、更なる冷媒漏洩が抑制される。その後、コントローラ７０は、ステップＳ１０８へ進む。
【０１２６】
ステップＳ１０８において、コントローラ７０は、冷媒漏洩第２制御を実行する。具体的には、コントローラ７０は、利用側ファン４５を所定の回転数（例えば最大回転数）で駆動させる。これにより、対象空間において、漏洩冷媒が攪拌され、局所的に危険な濃度となることが抑制される。その後、コントローラ７０は、ステップＳ１０９へ進む。
【０１２７】
ステップＳ１０９において、コントローラ７０は、冷媒漏洩第３制御を実行する。具体的には、コントローラ７０は、熱源側第２制御弁１７及び熱源側第３制御弁１８を閉状態に制御する。これにより、利用側回路ＲＣ２への冷媒の流れが妨げられ、利用側回路ＲＣ２における更なる冷媒漏洩が抑制される。また、コントローラ７０は、四路切換弁１３を正サイクル状態に制御したうえで、圧縮機１１を駆動させポンプダウン運転を実行する。これにより、熱源側回路ＲＣ１への冷媒回収が促進される。その後、コントローラ７０は、ステップＳ１１０へ進む。
【０１２８】
ステップＳ１１０において、コントローラ７０は、冷媒漏洩第４制御を実行し、熱源側第５制御弁２３を閉状態に制御するとともに熱源側第４制御弁２２を開状態（最大開度）に制御する。これにより、冷媒放出回路ＲＣ３の第２流路ＲＰ２が遮断され、第１流路ＲＰ１が開通する。その結果、第１流路ＲＰ１が熱源側回路ＲＣ１と連通した状態となる。また、コントローラ７０は、熱源側第１制御弁１６を閉状態に制御する。これにより、熱源側回路ＲＣ１内の冷媒が、第１流路ＲＰ１に流入して第１流路ＲＰ１内の冷媒の圧力上昇が促進される。そして、第１流路ＲＰ１内の冷媒の圧力が第１閾値ΔＴｈ１以上となったことに応じて、冷媒放出機構２１が開放状態となり冷媒回路ＲＣ内の冷媒が外部空間へ放出される。その後、コントローラ７０は、ステップＳ１１１へ進む。
【０１２９】
ステップＳ１１１において、コントローラ７０は、冷媒放出完了条件が満たされない場合（すなわち冷媒の放出が完了しない場合、ここではＮＯの場合）には、ステップＳ１１１に留まる。一方、コントローラ７０は、冷媒放出完了条件が満たされた場合（すなわち冷媒の放出が完了した場合、ここではＹＥＳの場合）には、ステップＳ１１２へ進む。
【０１３０】
ステップＳ１１２において、コントローラ７０は、圧縮機１１を停止させる。また、これとともに、各制御弁１６、１８、２２、２３等を開状態に制御する。その後、コントローラ７０は、管理者によって解除されるまで待機する。
【０１３１】
（６）空調システム１００の特徴
（６−１）
上記実施形態に係る空調システム１００では、冷媒漏洩に対する保安性が確実に確保される。
【０１３２】
すなわち、冷媒漏洩が生じた際における保安性確保のための対策として、従来、冷媒漏洩検知時に、冷媒回路内において所定の制御弁（電磁弁又は電子膨張弁等、開度制御が可能な弁）を閉状態に制御することで、利用側回路への冷媒の流れを妨げ、利用側回路が設置される利用側空間（人が出入りする居住空間や庫内空間等）への更なる冷媒漏洩を抑制する方法が提案されている。しかし、電磁弁や電子膨張弁等の制御弁は、その構造上、閉状態に制御されたとしても、冷媒の流れを完全に遮断することはできない（すなわち一端側から他端側への冷媒の漏れを避けられない）という特性を有する。すなわち、制御弁では、閉状態に制御された場合にも、微小な冷媒流路（微小流路）が形成されることとなり、微量の冷媒を通過させる。
【０１３３】
このため、冷媒漏洩時に制御弁が閉状態に制御されたとしても、制御弁を通過する微量の冷媒が利用ユニット側へ流れることとなり、利用側空間において漏洩冷媒が滞留することが懸念される。すなわち、従来の方法では、冷媒漏洩に対する保安性を確実に確保することができないケースが想定される。
【０１３４】
この点、空調システム１００では、コントローラ７０は、「冷媒漏洩検知部」（冷媒漏洩センサ５０及び冷媒漏洩判定部７４）によって利用側回路ＲＣ２における冷媒漏洩が検知された場合には熱源側第４制御弁２２を閉状態から開状態に切り換えるとともに冷媒放出機構２１を間接的に開放状態（第１状態）に移行させるように構成されている。これにより、利用側回路ＲＣ２において冷媒漏洩が生じた場合に、熱源側第４制御弁２２が開けられることで冷媒が熱源側回路ＲＣ１から冷媒放出回路ＲＣ３（冷媒放出機構２１）へ流れ、冷媒放出機構２１が間接的に開放状態（第１状態）に制御されることで冷媒放出機構２１を介して外部空間へ冷媒が放出されるようになっている。その結果、熱源側回路ＲＣ１から利用側回路ＲＣ２への冷媒の流れが抑制され、利用側回路ＲＣ２における更なる冷媒漏洩が抑制されるようになっている。
【０１３５】
よって、利用側回路ＲＣ２からの漏洩冷媒量が危険性のある値（例えば燃焼下限濃度や酸欠を招く値等）に到達することが抑制されている。したがって、冷媒漏洩に関し保安性が確実に確保されるようになっている。
【０１３６】
（６−２）
上記実施形態に係る空調システム１００では、冷媒放出機構２１は、冷媒放出回路ＲＣ３内の圧力が第１閾値ΔＴｈ１以上となった場合に開放状態（第１状態）となる破裂板である。これにより、利用側回路ＲＣ２において冷媒漏洩が生じた場合に、簡易且つ高精度に外部空間へ冷媒が放出されるようになっている。よって、保安性が簡易且つ精度よく確保されている。
【０１３７】
（６−３）
上記実施形態に係る空調システム１００では、コントローラ７０は、「冷媒漏洩検知部」（冷媒漏洩センサ５０及び冷媒漏洩判定部７４）によって利用側回路ＲＣ２における冷媒漏洩が検出された場合には、冷媒漏洩ユニット（冷媒漏洩が生じた利用ユニット４０）の利用側回路ＲＣ２に配置される利用側膨張弁４１（「減圧弁」）を閉状態に制御するように構成されている。これにより、利用側回路ＲＣ２において冷媒漏洩が生じた場合に、冷媒漏洩ユニットの利用側回路ＲＣ２への冷媒の流れが抑制され、更なる冷媒漏洩が抑制されるようになっている。よって、保安性がより確実に確保されるようになっている。
【０１３８】
（６−４）
上記実施形態に係る空調システム１００では、コントローラ７０は、「冷媒漏洩検知部」（冷媒漏洩センサ５０及び冷媒漏洩判定部７４）によって利用側回路ＲＣ２における冷媒漏洩が検出された時には、利用側熱交換器４２を正サイクル状態に制御するとともに熱源側第２制御弁１７（「第１弁」）を閉状態に制御し、圧縮機１１を運転させるように構成されている。これにより、利用側回路ＲＣ２において冷媒漏洩が生じた場合に、熱源側第２制御弁１７が閉められた状態で正サイクル運転（ポンプダウン運転）が行われる。よって、熱源側回路ＲＣ１から利用側回路ＲＣ２への冷媒の流れがさらに抑制されるとともに、利用側回路ＲＣ２から熱源側回路ＲＣ１への冷媒の回収が促進される。よって、保安性がより確実に確保されるようになっている。
【０１３９】
（６−５）
上記実施形態に係る空調システム１００では、冷媒放出回路ＲＣ３には、一端が熱源側回路ＲＣ１に接続される第１流路ＲＰ１と、第１流路ＲＰ１とは別に熱源側回路ＲＣ１に接続される第２流路ＲＰ２と、が含まれる。熱源側第４制御弁２２は第１流路ＲＰ１上に配置され、開状態となることで熱源側回路ＲＣ１から第１流路ＲＰ１への冷媒の流れを許容する。熱源側第５制御弁２３は、第２流路ＲＰ２上に配置され、開状態となることで、第２流路ＲＰ２から熱源側回路ＲＣ１への冷媒の流れを許容する。圧力調整弁２４は、第２流路ＲＰ２上において、熱源側第４制御弁２２と熱源側回路ＲＣ１との間に配置され、冷媒放出回路ＲＣ３内の圧力が第３閾値ΔＴｈ３以上となった時に、冷媒放出回路ＲＣ３内の圧力を熱源側回路ＲＣ１へと逃がす。これにより、利用側回路ＲＣ２において冷媒漏洩が生じていない場合において、冷媒放出回路ＲＣ３内の圧力が高まったとき（第３閾値ΔＴｈ３以上となった時）に、圧力調整弁２４を介して冷媒放出回路ＲＣ３から熱源側回路ＲＣ１へ冷媒が送られ、圧力を下げることが可能となっている。
【０１４０】
（６−６）
コントローラ７０は、「冷媒漏洩検知部」（冷媒漏洩センサ５０及び冷媒漏洩判定部７４）によって利用側回路ＲＣ２における冷媒漏洩が検知されていない場合には熱源側第４制御弁２２を開状態に制御し、「冷媒漏洩検知部」によって利用側回路ＲＣ２における冷媒漏洩が検知された場合には、熱源側第４制御弁２２を閉状態に切り換えるように構成されている。
【０１４１】
これにより、利用側回路ＲＣ２において冷媒漏洩が生じていない場合において、冷媒放出回路ＲＣ３内の圧力が高まったとき（第３閾値ΔＴｈ３以上となった時）に、圧力調整弁２４を介して冷媒放出回路ＲＣ３から熱源側回路ＲＣ１へ冷媒が送られる。よって、冷媒放出回路ＲＣ３における液封や冷媒放出機構２１の誤動作に関して、信頼性が向上している。
【０１４２】
（７）変形例
上記実施形態は、以下の変形例に示すように適宜変形が可能である。なお、各変形例は、矛盾が生じない範囲で他の変形例と組み合わせて適用されてもよい。
【０１４３】
（７−１）変形例１
上記実施形態に係る空調システム１００では、冷媒放出回路ＲＣ３に配置され冷媒漏洩が生じた際に開放状態に制御される「冷媒放出機構」として、図１に示すような態様で冷媒放出機構２１（破裂板）が配置されていた。しかし、冷媒放出回路ＲＣ３において配置される「冷媒放出機構」については、必ずしも冷媒放出機構２１（破裂板）に限定されず、冷媒放出回路ＲＣ３と外部空間とを連通させる開放状態をとりうる機器である限り、適宜変更が可能である。
【０１４４】
例えば、図４に示す空調システム１００ａのように、冷媒放出回路ＲＣ３において、「冷媒放出機構」として冷媒放出機構２１ａが配置されてもよい。冷媒放出機構２１ａは、通常時には一端側から他端側への冷媒の流れを遮断し、一端側（冷媒放出回路ＲＣ３内）の冷媒の圧力が第２閾値ΔＴｈ２以上に上昇したときに他端側（外部空間）への冷媒の流れを許容する開放状態（第１状態）となるリリーフ弁（安全弁）である。リリーフ弁としては、公知のものが採用され、型式については特に限定されないが、例えば弾性体によって弁体の位置を調節するタイプのものが用いられる。なお、ここでの第２閾値ΔＴｈ２は、リリーフ弁が作動する設定圧力であり、第３閾値ΔＴｈ３よりも大きい値である。第２閾値ΔＴｈ２は、圧縮機１１の吐出圧力よりも小さい値に設定され、例えば、第１閾値ΔＴｈ１と同一の値に設定される。但し、第２閾値ΔＴｈ２は、設計仕様や設置環境に応じて適宜調整が可能である（第１閾値ΔＴｈ１と異なる値に設定されうる）。
【０１４５】
係る空調システム１００ａによっても、上記実施形態と同様の作用効果が実現される。すなわち、空調システム１００ａにおいても、冷媒漏洩が生じた際に、コントローラ７０によって冷媒漏洩第４制御が実行され、熱源側第５制御弁２３を閉状態に制御がされるとともに熱源側第４制御弁２２が開状態（最大開度）に制御されることで、冷媒放出回路ＲＣ３の第２流路ＲＰ２は遮断され第１流路ＲＰ１は開通する。その結果、第１流路ＲＰ１が熱源側回路ＲＣ１と連通した状態となり、熱源側回路ＲＣ１内の冷媒が、第１流路ＲＰ１に流入して第１流路ＲＰ１内の冷媒の圧力が上昇する。そして、第１流路ＲＰ１内の冷媒の圧力が第１閾値ΔＴｈ１以上となったことに応じて、冷媒放出機構２１ａ（リリーフ弁）が開放状態となり（すなわち、コントローラ７０によって冷媒放出機構２１ａが間接的に開放状態に制御され）、冷媒回路ＲＣ内の冷媒が外部空間へ放出される。これにより、熱源側回路ＲＣ１から利用側回路ＲＣ２への冷媒の流れが抑制され、利用側回路ＲＣ２における更なる冷媒漏洩が抑制されるようになっている。
【０１４６】
よって、空調システム１００ａにおいても利用側回路ＲＣ２からの漏洩冷媒量が危険性のある値（例えば燃焼下限濃度や酸欠を招く値等）に到達することが抑制されている。したがって、冷媒漏洩に関し保安性が確実に確保されるようになっている。
【０１４７】
また、冷媒放出機構として冷媒放出機構２１ａ（リリーフ弁）が用いられることで、利用側回路ＲＣ２において冷媒漏洩が生じた場合に、簡易且つ高精度に外部空間へ冷媒が放出されるようになっている。
【０１４８】
（７−２）変形例２
また、例えば、図５に示す空調システム１００ｂのように、冷媒放出回路ＲＣ３において「冷媒放出機構」として冷媒放出機構２１ｂが配置されてもよい。冷媒放出機構２１ｂは、開状態と閉状態とを切換可能な電磁弁である。冷媒放出機構２１ｂ（電磁弁）は、コントローラ７０と電気的に接続されており、開状態（第１状態）に制御されることで冷媒放出回路ＲＣ３と外部空間が連通させる開放状態となる。
【０１４９】
係る空調システム１００ｂによっても、冷媒漏洩第４制御（図３のステップＳ１１０）において、コントローラ７０によって、冷媒放出機構２１ｂ（電磁弁）が開状態（開放状態）に制御されることで、上記実施形態と同様の作用効果が実現されうる。すなわち、空調システム１００ｂにおいても、冷媒漏洩が生じた際に、コントローラ７０によって冷媒漏洩第４制御が実行され、熱源側第５制御弁２３が閉状態に制御されるとともに熱源側第４制御弁２２が開状態（最大開度）に制御されることで、冷媒放出回路ＲＣ３の第２流路ＲＰ２は遮断され、第１流路ＲＰ１は開通して熱源側回路ＲＣ１と連通した状態となる。その結果、熱源側回路ＲＣ１内の冷媒が第１流路ＲＰ１へ送られる。また、冷媒漏洩第４制御において、冷媒放出機構２１ｂ（電磁弁）が直接的に開状態に制御されることで、冷媒放出回路ＲＣ３と外部空間が連通する。その結果、熱源側回路ＲＣ１から第１流路ＲＰ１に送られた冷媒が外部空間へ放出される。これにより、熱源側回路ＲＣ１から利用側回路ＲＣ２への冷媒の流れが抑制され、利用側回路ＲＣ２における更なる冷媒漏洩が抑制される。
【０１５０】
よって、空調システム１００ｂにおいても利用側回路ＲＣ２からの漏洩冷媒量が危険性のある値（例えば燃焼下限濃度や酸欠を招く値等）に到達することが抑制されている。したがって、冷媒漏洩に関し保安性が確実に確保されるようになっている。
【０１５１】
また、冷媒放出機構として冷媒放出機構２１ｂ（電磁弁）が用いられることで、利用側回路ＲＣ２において冷媒漏洩が生じた場合に、簡易且つ高精度に外部空間へ冷媒が放出されるようになっている。
【０１５２】
なお、冷媒放出機構２１ｂは電磁弁ではなく、開度調整が可能な電子膨張弁であってもよい。係る場合でも、同様の作用効果を奏する。
【０１５３】
（７−３）変形例３
また、例えば、図６に示す空調システム１００ｃのように、冷媒放出回路ＲＣ３において「冷媒放出機構」として冷媒放出機構２１ｃが配置されてもよい。冷媒放出機構２１ｃは、加熱されることにより溶融する公知の可溶栓（従来より安全装置として一般的に採用されている溶栓）である。可溶栓の構成態様については特に限定されないが、例えば低融点金属が充填された貫通孔を有するネジ状の部品である。なお、低融点金属の材料は、特に限定されないが、例えばインジウム６３．５質量％、ビスマス３５質量％、錫０．５質量％、及びアンチモン１．０％からなる合金が用いられる。
【０１５４】
冷媒放出機構２１ｃは、所定の加熱手段により加熱されて所定の第１温度Ｔｅ１以上となった場合に、低融点金属が溶融して、流体が貫通孔を通過できる開放状態（第１状態）となる。冷媒放出機構２１ｃが開放状態となると、冷媒放出回路ＲＣ３内の冷媒が外部へ放出される。
【０１５５】
また、空調システム１００ｃでは、冷媒放出機構２１ｃ（可溶栓）を直接的又は間接的に加熱するための加熱部２８が冷媒放出機構２１ｃの周囲に配置されている。加熱部２８はコントローラ７０によって状態を制御され、発熱状態となることで冷媒放出機構２１ｃを第１温度Ｔｅ１以上に加熱する。加熱部２８は、例えば通電されることで発熱状態となる電気ヒータである。
【０１５６】
空調システム１００ｃでは、冷媒漏洩第４制御（図３のステップＳ１１０）において、コントローラ７０によって、加熱部２８が発熱状態に制御される。これにより、冷媒放出機構２１ｃが第１温度Ｔｅ１以上に加熱され、これに応じて開放状態となる。
【０１５７】
係る空調システム１００ｃによっても、上記実施形態と同様の作用効果が実現されうる。すなわち、空調システム１００ｃにおいても、冷媒漏洩が生じた際に、コントローラ７０によって冷媒漏洩第４制御が実行され、熱源側第５制御弁２３が閉状態に制御されるとともに熱源側第４制御弁２２が開状態（最大開度）に制御されることで、冷媒放出回路ＲＣ３の第２流路ＲＰ２は遮断され、第１流路ＲＰ１は開通し熱源側回路ＲＣ１と連通した状態となる。その結果、熱源側回路ＲＣ１内の冷媒が第１流路ＲＰ１へ送られる。また、空調システム１００ｃでは、冷媒漏洩第４制御において、冷媒放出機構２１ｃが第１温度Ｔｅ１以上に加熱されるように、コントローラ７０によって加熱部２８が発熱状態に制御される。その結果、冷媒放出機構２１ｃが第１温度Ｔｅ１以上に上昇し開放状態となり（すなわち、コントローラ７０によって冷媒放出機構２１ｃが間接的に開放状態に制御され）、熱源側回路ＲＣ１から第１流路ＲＰ１に送られた冷媒が外部空間へ放出される。これにより、熱源側回路ＲＣ１から利用側回路ＲＣ２への冷媒の流れが抑制され、利用側回路ＲＣ２における更なる冷媒漏洩が抑制されるようになっている。
【０１５８】
よって、空調システム１００ｃにおいても利用側回路ＲＣ２からの漏洩冷媒量が危険性のある値（例えば燃焼下限濃度や酸欠を招く値等）に到達することが抑制されている。したがって、冷媒漏洩に関し保安性が確実に確保されるようになっている。
【０１５９】
また、冷媒放出機構として冷媒放出機構２１ｃ（可溶栓）が用いられることで、利用側回路ＲＣ２において冷媒漏洩が生じた場合に、簡易且つ高精度に外部空間へ冷媒が放出されるようになっている。
【０１６０】
なお、空調システム１００ｃでは、冷媒漏洩第４制御実行後、冷媒放出が完了したと想定される時（すなわち、冷媒放出完了フラグＭ８が立てられた時）にコントローラ７０によって加熱部２８の発熱状態が解除されるようにされればよい。
【０１６１】
また、加熱部２８は必ずしも電気ヒータには限られず、発熱状態となることで冷媒放出機構２１ｃを第１温度Ｔｅ１以上に加熱することが可能である限り、他の機器が採用されてもよい。例えば、加熱部２８は、圧縮機１１から吐出される高圧のホットガスが流れるホットガス配管であってもよい。係る場合でも、冷媒漏洩時に係る配管が冷媒放出機構２１ｃ（可溶栓）に対して熱的に接続されることで、電気ヒータが用いられる例と同様の作用効果を実現しうる。係る場合には、冷媒漏洩第４制御において、係るホットガス配管と圧縮機１１とを連通させ、圧縮機１１を所定の回転数で駆動させることで、ホットガス配管にホットガスが送られる。その結果、冷媒放出機構２１ｃが第１温度Ｔｅ１以上に加熱され、これに応じて開放状態となる。このような例によると、圧縮機１１は、ホットガス配管とともに、冷媒放出機構２１ｃを直接的又は間接的に加熱する「加熱部」に相当しうる。
【０１６２】
（７−４）変形例４
上記実施形態では、熱源側第２制御弁１７が、冷媒漏洩第３制御（ポンプダウン運転）において閉状態に制御され、冷媒漏洩時における利用側回路ＲＣ２への冷媒の流れを妨げる制御弁（特許請求の範囲記載の「第１弁」）として機能していた。しかし、必ずしもこれに限定されず、熱源側第２制御弁１７以外の弁を、係る「第１弁」として機能させてもよい。
【０１６３】
例えば、液側連絡配管Ｌ１上に電磁弁を配置し、係る電磁弁を冷媒漏洩第３制御において閉状態に切り換えることで、「第１弁」として機能させてもよい。係る場合にも上記実施形態と同様の作用効果を実現しうる。
【０１６４】
また、例えば、各利用ユニット４０における利用側膨張弁４１を冷媒漏洩第３制御において閉状態に切り換えることで、「第１弁」として機能させてもよい。係る場合にも上記実施形態と同様の作用効果を実現しうる。
【０１６５】
（７−５）変形例５
上記実施形態では、熱源側第２制御弁１７、熱源側第４制御弁２２、及び熱源側第５制御弁２３が電子膨張弁で構成される場合について説明した。しかし、熱源側第２制御弁１７、熱源側第４制御弁２２、及び／又は熱源側第５制御弁２３は、閉状態と開状態とを切換可能な弁である限り、他の制御弁（例えば電磁弁）であってもよい。
【０１６６】
（７−６）変形例６
上記実施形態では、利用側回路ＲＣ２における冷媒漏洩が検出された際に、冷媒漏洩第１制御、冷媒漏洩第２制御、冷媒漏洩第３制御及び冷媒漏洩第４制御を行っていた（図３のステップＳ１０７―Ｓ１１０）。この点、冷媒漏洩第１制御は、対象空間において局所的に冷媒濃度が高い領域が生じることを抑制する、という観点から実行されることが好ましい。また、冷媒漏洩第２制御及び冷媒漏洩第３制御についても、冷媒漏洩ユニットへの冷媒の流入を抑制し、更なる冷媒漏洩を抑制するという観点上、実行されることが好ましい。しかし、上記（６−１）の作用効果を実現するうえで、冷媒漏洩第１制御、冷媒漏洩第２制御、及び／又は冷媒漏洩第３制御は、必ずしも必要ではなく、適宜省略が可能である。すなわち、図３のステップＳ１０７―Ｓ１０９のいずれか／全てについては適宜省略されてもよい。なお、係る場合、冷媒漏洩第４制御（ステップＳ１１０）において、圧縮機１１が運転されるように構成されてもよい。
【０１６７】
（７−７）変形例７
上記実施形態における冷媒回路ＲＣ（熱源側回路ＲＣ１、利用側回路ＲＣ２及び／又は冷媒放出回路ＲＣ３）の構成態様は、必ずしも図１及び図４―６に示す態様には限定されず、設計仕様や設置環境に応じて適宜変更が可能である。例えば以下のような変更が可能である。
【０１６８】
熱源側第２制御弁１７は、必ずしも熱源側回路ＲＣ１内に配置される必要はない。例えば、熱源側第２制御弁１７は、液側連絡配管Ｌ１に配置されてもよい。
【０１６９】
また、熱源側第４制御弁２２は、必ずしも冷媒放出回路ＲＣ３内に配置される必要はない。例えば、熱源側第４制御弁２２は、熱源側回路ＲＣ１内（例えば第６配管Ｐ６又はその分岐管上）に配置されてもよい。
【０１７０】
また、冷媒放出回路ＲＣ３には、第２流路ＲＰ２が構成された。この点、第２流路ＲＰ２の構成態様については適宜変更が可能である。具体的には、上記実施形態において、第２流路ＲＰ２は、一端が第１流路ＲＰ１の両端間に接続され、他端が第１１配管Ｐ１１に接続されるように構成されていた。しかし、第２流路ＲＰ２は、必ずしも係る態様で構成される必要はない。例えば、第２流路ＲＰ２の他端は、運転に著しい支障が生じない限り、他の部分（第１配管Ｐ１−第１０配管Ｐ１０のいずれか、液側連絡配管Ｌ１、又はガス側連絡配管Ｇ１等）に接続されてもよい。
【０１７１】
また、冷媒放出機構２１の誤作動の抑制、冷媒放出回路ＲＣ３における液封防止という観点からは、上記実施形態における態様で第２流路ＲＰ２が構成されることが好ましい。しかし、冷媒漏洩が生じた際に冷媒回路ＲＣ内の冷媒を外部に放出する、という観点上は、第２流路ＲＰ２（熱源側第５制御弁２３、圧力調整弁２４）については必ずしも必要ではなく、適宜省略可能である。
【０１７２】
また、冷媒放出回路ＲＣ３の配置位置については、必ずしも図１等に示す態様には限定されず、適宜変更が可能である。例えば、冷媒放出回路ＲＣ３は、熱源側回路ＲＣ１の第５配管Ｐ５に接続されるように構成されてもよい。
【０１７３】
（７−８）変形例８
上記実施形態では、冷媒回路ＲＣ（利用側回路ＲＣ２）における冷媒漏洩を検出する冷媒漏洩センサ５０は、利用ユニット４０内に配置された。利用側回路ＲＣ２から流出する冷媒を迅速に検出するという観点上、利用ユニット４０内に配置されることが好ましい。しかし、冷媒漏洩センサ５０は、利用側回路ＲＣ２から流出する冷媒を検出可能な限り、必ずしも利用ユニット４０内に配置される必要はない。例えば、冷媒漏洩センサ５０は、対象空間において利用ユニット４０の外部において配置されてもよい。
【０１７４】
（７−９）変形例９
上記実施形態では、冷媒回路ＲＣ（利用側回路ＲＣ２）における冷媒漏洩を検出する「冷媒漏洩検出部」として、利用側回路ＲＣ２から漏洩する冷媒を直接的に検出する冷媒漏洩センサ５０が用いられる場合について説明した。しかし、冷媒漏洩が生じた事実を検出可能な限り、必ずしも冷媒漏洩センサ５０は必要ではなく、冷媒漏洩判定部７４は他のセンサの検出値を用いて冷媒漏洩の有無を判定してもよい。例えば、冷媒回路ＲＣに配置される熱源側センサ２６又は利用側センサ４６の検出値を用いて、冷媒の状態に基づき冷媒漏洩を判定してもよい。係る場合、当該センサは冷媒漏洩判定部７４とともに「冷媒漏洩検出部」に相当する。
【０１７５】
この点、冷媒漏洩センサ５０の検出値に代えて、他のセンサの検出値を用いて冷媒漏洩を判定する場合には、冷媒漏洩検出条件については、冷媒回路ＲＣ内の冷媒の種別、センサの種別、設計仕様や設置環境等に応じて、適宜設定されればよい。例えば、冷媒漏洩検出条件は、係るセンサの検出値が所定の閾値以上又は未満である状態が所定時間継続することをもって満たされるものとされてもよい。
【０１７６】
（７−１０）変形例１０
上記実施形態では、コントローラ７０は、冷媒漏洩第４制御実行開始後（冷媒放出開始後）、所定の冷媒放出完了条件が満たされることを契機として、圧縮機１１を停止して待機状態となっていた。そして、冷媒放出完了条件は、冷媒漏洩第４制御実行開始後、所定時間ｔ２が経過したことをもって満たされるものとされていた。係る冷媒放出完了条件は、必ずしもこれに限定されず、冷媒回路ＲＣ内の冷媒の放出が完了したか否かを判別可能な条件である限り、設計仕様や設置環境等に応じて適宜変更が可能である。例えば、冷媒放出完了条件が満たされるか否かは、各センサ（２６、４６）の検出値に基づき判断されてもよい。
【０１７７】
（７−１１）変形例１１
上記実施形態における空調システム１００では、１台の熱源ユニット１０と複数台の利用ユニット４０が連絡配管（Ｇ１、Ｌ１）で接続されていた。しかし、熱源ユニット１０及び／又は利用ユニット４０の台数については、設置環境や設計仕様に応じて適宜変更が可能である。例えば、複数台の熱源ユニット１０が、直列又は並列に配置されてもよい。また、１台のみの利用ユニット４０が、１台の熱源ユニット１０と接続されてもよい。
【０１７８】
（７−１２）変形例１２
上記実施形態では、コントローラ７０は、冷媒漏洩報知情報をリモコン６０に出力させることで、リモコン６０を所定の情報（冷媒漏洩報知情報等の報知情報）を出力させるための「出力部」として機能させていた。この点、リモコン６０以外の機器に所定の情報を出力させることで、係る機器を「出力部」として機能させてもよい。
【０１７９】
例えば、音声を出力可能なスピーカを配置して、当該スピーカに所定の警告音やメッセージ音声を冷媒漏洩報知情報として出力させてもよい。また、ＬＥＤランプ等の光源を配置して、当該光源を点滅又は点灯させることで冷媒漏洩報知情報等の報知情報を出力させてもよい。また、空調システム１００が適用される施設や現場から離れた遠隔地に設置される集中管理機器等の装置において情報を出力可能なユニットを配置して冷媒漏洩報知情報等の報知情報を出力させてもよい。
【０１８０】
なお、リモコン６０は、必ずしも必要でない場合には、適宜省略が可能である。
【０１８１】
（７−１３）変形例１３
上記実施形態では、熱源ユニット制御部３０と利用ユニット制御部４８とが通信線ｃｂを介して接続されることで、空調システム１００の動作を制御するコントローラ７０が構成されていた。しかし、コントローラ７０の構成態様については必ずしもこれに限定されず、設計仕様や設置環境に応じて適宜変更が可能である。すなわち、コントローラ７０に含まれる要素（７１−７７）が実現される限り、コントローラ７０の構成態様については特に限定されない。すなわち、コントローラ７０に含まれる各要素（７１−７７）の一部又は全部は、必ずしも、熱源ユニット１０及び利用ユニット４０のいずれかに配置される必要はなく、他の装置において配置されてもよいし、独立に配置されてもよい。
【０１８２】
例えば、熱源ユニット制御部３０及び各利用ユニット制御部４８の一方又は双方、とともに／に代えて、リモコン６０や集中管理機器等の他の装置によってコントローラ７０を構成してもよい。係る場合、他の装置については、熱源ユニット１０又は利用ユニット４０と通信ネットワークで接続された遠隔地において配置されてもよい。
【０１８３】
また、例えば、熱源ユニット制御部３０のみによってコントローラ７０が構成されてもよい。
【０１８４】
（７−１４）変形例１４
上記実施形態では、Ｒ３２が冷媒回路ＲＣを循環する冷媒として用いられていた。しかし、冷媒回路ＲＣで用いられる冷媒は、特に限定されず他の冷媒であってもよい。例えば、冷媒回路ＲＣでは、ＨＦＯ１２３４ｙｆ、ＨＦＯ１２３４ｚｅ（Ｅ）やこれらの冷媒の混合冷媒などが、Ｒ３２に代えて用いられてもよい。また、冷媒回路ＲＣでは、Ｒ４０７ＣやＲ４１０Ａ等のＨＦＣ系冷媒を用いられてもよい。また、冷媒回路ＲＣでは、ＣＯ２等の冷媒が用いられてもよい。
【０１８５】
（７−１５）変形例１５
上記実施形態において本開示に係る思想は、空調システム１００に適用されていた。しかし、これに限定されず、本開示に係る思想は、冷媒回路を有する他の冷凍装置（例えば給湯器やヒートポンプチラー等）にも適用可能である。
【０１８６】
（７−１６）変形例１６
上記実施形態における冷媒放出機構２１（破裂板）は、変形例１−３に記載の冷媒放出機構２１ａ（リリーフ弁）、冷媒放出機構２１ｂ（電磁弁又は電子膨張弁）、及び冷媒放出機構２１ｃ（可溶栓）のいずれか又は全てとともに、冷媒放出回路ＲＣ３において配置されてもよい。これにより、利用側回路ＲＣ２において冷媒漏洩が生じた場合に、さらに高精度に外部空間へ冷媒が放出される。また、単位時間当たりに外部空間へ放出される冷媒量をより大きくすることが可能となる。
【０１８７】
（８）
以上、実施形態を説明したが、特許請求の範囲に記載の趣旨及び範囲から逸脱することなく、形態や詳細の多様な変更が可能なことが理解されるであろう。
【産業上の利用可能性】
【０１８８】
本開示は、冷媒回路を含む冷凍装置において利用可能である。
【符号の説明】
【０１８９】
１０                ：熱源ユニット
１１                ：圧縮機
１２                ：アキュームレータ
１３                ：四路切換弁（流路切換弁）
１４                ：熱源側熱交換器
１５                ：過冷却器
１６                ：熱源側第１制御弁
１７                ：熱源側第２制御弁（第１弁）
１８                ：熱源側第３制御弁
１９                ：液側閉鎖弁
２０                ：ガス側閉鎖弁
２１、２１ａ―ｃ    ：冷媒放出機構
２２                ：熱源側第４制御弁（制御弁）
２３                ：熱源側第５制御弁（第２制御弁）
２４                ：圧力調整弁
２５                ：熱源側ファン
２６                ：熱源側センサ
２８                ：加熱部
３０                ：熱源ユニット制御部
４０（４０ａ、４０ｂ）：利用ユニット
４１                ：利用側膨張弁（減圧弁）
４２                ：利用側熱交換器
４５                ：利用側ファン
４６                ：利用側センサ
４８                ：利用ユニット制御部
５０（５０ａ、５０ｂ）：冷媒漏洩センサ（冷媒漏洩検知部）
６０（６０ａ、６０ｂ）：リモコン
７０                ：コントローラ（制御部）
７４                ：冷媒漏洩判定部（冷媒漏洩検知部）
１００、１００ａ―ｃ：空調システム
１５１              ：メイン流路
１５２              ：サブ流路
Ｇ１                ：ガス側連絡配管
Ｌ１                ：液側連絡配管
Ｐ１―Ｐ１８        ：第１配管−第１８配管
ＲＣ                ：冷媒回路
ＲＣ１              ：熱源側回路
ＲＣ２              ：利用側回路
ＲＣ３              ：冷媒放出回路
ＲＰ１              ：第１流路
ＲＰ２              ：第２流路
【先行技術文献】
【特許文献】
【０１９０】
【特許文献１】特開平５−１１８７２０号公報
【図１】
2019027050.tif 000003
【図２】
2019027050.tif 000004
【図３】
2019027050.tif 000005
【図４】
2019027050.tif 000006
【図５】
2019027050.tif 000007
【図６】
2019027050.tif 000008
【国際調査報告】
2019027050.tif 000009
2019027050.tif 000010
2019027050.tif 000011
2019027050.tif 000012